(57)【要約】  本発明は、アンライセンス搬送波でアップリンク情報を伝送するための方法及び装置を開示し、アンライセンス搬送波でのアップリンク情報伝送を実現することができる。該方法は、端末装置はネットワークデバイスによりアンライセンス搬送波でデータ伝送を行うための現在時間リソースセットを確定することと、該端末装置は該アンライセンス搬送波の該現在時間リソースセット内の第１時間リソースで該ネットワークデバイスにアップリンク情報を送信することと、を含み、該ネットワークデバイスは、競争して得られた時間リソースセットを使用して該アンライセンス搬送波でデータ伝送を行い、各時間リソースセットに含まれる時間リソースが連続に分布され、しかも異なる時間リソースセット内の時間リソースが間隔をあけて分布され、該アップリンク情報は、該ネットワークデバイスにより該現在時間リソースセットの少なくとも１つの先行時間リソースセットで伝送されたダウンリンク情報に対応する。
2019510385.tif 000002
【特許請求の範囲】
【請求項１】
アンライセンス搬送波におけるアップリンク情報伝送のための方法であって、
端末装置は、ネットワークデバイスが前記アンライセンス搬送波でデータ伝送を行うための現在時間リソースセットを確定することと、
前記端末装置は、前記アンライセンス搬送波の前記現在時間リソースセット内の第１時間リソースで前記ネットワークデバイスにアップリンク情報を送信することと、を含み、
前記ネットワークデバイスは、競争して得られた時間リソースセットを使用して前記アンライセンス搬送波でデータ伝送を行い、競争して得られた各時間リソースセットに含まれる時間リソースが連続に分布され、しかも異なる時間リソースセット内の時間リソースが間隔をあけて分布され、
前記アップリンク情報は、前記ネットワークデバイスにより前記現在時間リソースセットの少なくとも１つの先行時間リソースセットで伝送されたダウンリンク情報に対応する、前記アンライセンス搬送波でアップリンク情報を伝送するための方法。
【請求項２】
前記ダウンリンク情報はダウンリンク制御情報（ＤＣＩ）を含み、前記アップリンク情報は物理アップリンク共有チャネル（ＰＵＳＣＨ）を含み、
及び／又は、
前記ダウンリンク情報は物理ダウンリンク共有チャネル（ＰＤＳＣＨ）を含み、前記アップリンク情報は確認ＡＣＫ／否定ＮＡＣＫを含む
請求項１に記載のアンライセンス搬送波でアップリンク情報を伝送するための方法。
【請求項３】
前記端末装置は、前記ネットワークデバイスが前記アンライセンス搬送波でデータ伝送を行うための現在時間リソースセットを確定することは、
前記端末装置は、前記ネットワークデバイスにより送信された第１情報を受信することと、
前記端末装置は、前記第１情報に従って、前記ネットワークデバイスにより競争して得られた現在時間リソースセットのセット番号を確定することとを含む
請求項１又は２に記載のアンライセンス搬送波でアップリンク情報を伝送するための方法。
【請求項４】
前記第１情報は、前記現在時間リソースセット内の先頭の時間リソースが所在するシステムフレームの番号（ＳＦＮ）情報を含み、又は、
前記第１情報は、前記現在時間リソースセットのセット番号情報を含む
請求項３に記載のアンライセンス搬送波でアップリンク情報を伝送するための方法。
【請求項５】
前記端末装置は、前記アンライセンス搬送波の前記現在時間リソースセット内の第１時間リソースで前記ネットワークデバイスにアップリンク情報を送信する前に、前記方法は、さらに、
前記端末装置は、前記ネットワークデバイスにより前記現在時間リソースセットで送信された第２情報を受信すること、又は、
前記端末装置は、前記ネットワークデバイスにより前記少なくとも１つの先行時間リソースセットで送信された第３情報を受信すること、又は、
前記端末装置は、予め設定された規則に従って、前記現在時間リソースセットが前記ネットワークデバイスにより前記少なくとも１つの先行時間リソースセットで伝送されたダウンリンク情報に対応するアップリンク情報の伝送に用いられることを確定すること、を含み、
前記第２情報は、前記第１時間リソースが、前記ネットワークデバイスにより前記少なくとも１つの先行時間リソースセットで伝送されたダウンリンク情報に対応するアップリンク情報の伝送に用いられることを指示し、
前記第３情報は、前記ネットワークデバイスにより前記少なくとも１つの先行時間リソースセットで伝送されたダウンリンク情報に対応するアップリンク情報が、前記現在時間リソースセットで伝送されることを指示する
請求項１〜４のいずれか１項に記載のアンライセンス搬送波でアップリンク情報を伝送するための方法。
【請求項６】
前記第３情報は、前記現在時間リソースセットのセット番号情報を含む
請求項５に記載のアンライセンス搬送波でアップリンク情報を伝送するための方法。
【請求項７】
前記第２情報は、前記少なくとも１つの先行時間リソースセットの各先行時間リソースセットのセット番号情報を含む
請求項５に記載のアンライセンス搬送波でアップリンク情報を伝送するための方法。
【請求項８】
前記第２情報は、さらに、前記少なくとも１つの先行時間リソースセットの少なくとも１つのターゲット時間リソース単位の時間リソース番号情報を含み、ここで、前記第１時間リソースは、前記ネットワークデバイスにより前記少なくとも１つのターゲット時間リソース単位で伝送されたダウンリンク情報に対応するアップリンク情報の伝送に用いられる
請求項７に記載のアンライセンス搬送波でアップリンク情報を伝送するための方法。
【請求項９】
前記端末装置は、前記アンライセンス搬送波の前記現在時間リソースセット内の第１時間リソースで前記ネットワークデバイスにアップリンク情報を送信する前に、前記方法は、さらに、
前記端末装置は、予め設定された規則に従って、前記現在時間リソースセット内の前記第１時間リソースを確定すること、又は、
前記端末装置は、前記ネットワークデバイスにより前記現在時間リソースセットで送信された第４情報を受信することを含み、
前記第４情報は、前記第１時間リソースを示すために用いられる
請求項１〜８のいずれか１項に記載のアンライセンス搬送波でアップリンク情報を伝送するための方法。
【請求項１０】
前記ダウンリンク情報はＰＤＳＣＨを含み、前記アップリンク情報はＡＣＫ／ＮＡＣＫを含み、
前記端末装置はアンライセンス搬送波の前記現在時間リソースセット内の第１時間リソースで前記ネットワークデバイスにアップリンク情報を送信することは、
前記端末装置は前記第１時間リソースの物理アップリンク制御チャネル（ＰＵＣＣＨ）又はＰＵＳＣＨで前記ネットワークデバイスにＮビットのＡＣＫ／ＮＡＣＫを送信することを含み、
前記ＮビットのＡＣＫ／ＮＡＣＫは、前記端末装置が前記ネットワークデバイスにより前記少なくとも１つの先行時間リソースセットで前記端末装置に送信されたＰＤＳＣＨを成功に受信したかどうかを指示するために用いられる
請求項１〜９のいずれか１項に記載のアンライセンス搬送波でアップリンク情報を伝送するための方法。
【請求項１１】
前記端末装置は前記第１時間リソースの物理アップリンク制御チャネル（ＰＵＣＣＨ）又はＰＵＳＣＨで前記ネットワークデバイスにＮビットのＡＣＫ／ＮＡＣＫを送信することは、
前記端末装置は、前記第１時間リソースでＰＵＣＣＨフォーマット３、ＰＵＣＣＨフォーマット４、又はＰＵＣＣＨフォーマット５を使用して前記ネットワークデバイスに前記ＮビットのＡＣＫ／ＮＡＣＫを送信することを含む
請求項１０に記載のアンライセンス搬送波でアップリンク情報を伝送するための方法。
【請求項１２】
Ｎは以下の式で確定され、
【数１】
2019510385.tif 000016
ここで、Ｋは前記少なくとも１つの先行時間リソースセットの数を示し、Ｃは各ＰＤＳＣＨに対応するＡＣＫ／ＮＡＣＫの最大ビット数を示し、
【数２】
2019510385.tif 000017
は、前記少なくとも１つの先行時間リソースセット内のｉ番目の先行時間リソースセットに含まれる時間リソース単位の数に等しく、又は、ｉ番目の先行時間リソースセットに含まれるダウンリンク時間リソース単位の数に等しく、又は、前記ネットワークデバイスによりｉ番目の先行時間リソースセットに配置されたパラメータ値に等しく、前記パラメータ値は前記ｉ番目の先行時間リソースセットに含まれる時間リソース単位の数の以下である
請求項１０又は１１に記載のアンライセンス搬送波でアップリンク情報を伝送するための方法。
【請求項１３】
Ｎは以下の式で確定され、
【数３】
2019510385.tif 000018
ここで、Ｋは前記少なくとも１つの先行時間リソースセットの数を示し、
【数４】
2019510385.tif 000019
は前記ネットワークデバイスにより前記少なくとも１つの先行時間リソースセット内のｉ番目の先行時間リソースセットに配置されたパラメータ値に等しく、前記パラメータ値は０以上の整数である
請求項１０又は１１に記載のアンライセンス搬送波でアップリンク情報を伝送するための方法。
【請求項１４】
アンライセンス搬送波でアップリンク情報を伝送するための方法であって、
ネットワークデバイスは、前記アンライセンス搬送波でデータ伝送を行うための現在時間リソースセットを確定することと、
前記ネットワークデバイスは、端末装置により前記アンライセンス搬送波の前記現在時間リソースセット内の第１時間リソースで送信されたアップリンク情報を受信することとを含み、
ここで、前記ネットワークデバイスは、競争して得られた時間リソースセットを使用して前記アンライセンス搬送波でデータ伝送を行い、前記競争して得られた各時間リソースセットに含まれる時間リソースが連続に分布され、しかも異なる時間リソースセット内の時間リソースが間隔をあけて分布され、
前記アップリンク情報は、前記ネットワークデバイスにより前記現在時間リソースセットの少なくとも１つの先行時間リソースセットで伝送されたダウンリンク情報に対応する、前記アンライセンス搬送波でアップリンク情報を伝送するための方法。
【請求項１５】
前記ダウンリンク情報はダウンリンク制御情報（ＤＣＩ）を含み、前記アップリンク情報は物理アップリンク共有チャネル（ＰＵＳＣＨ）を含み、
及び／又は、
前記ダウンリンク情報は物理ダウンリンク共有チャネル（ＰＤＳＣＨ）を含み、前記アップリンク情報は確認ＡＣＫ／否定ＮＡＣＫを含む
請求項１４に記載のアンライセンス搬送波でアップリンク情報を伝送するための方法。
【請求項１６】
前記ネットワークデバイスは端末装置により前記アンライセンス搬送波の前記現在時間リソースセット内の第１時間リソースで送信されたアップリンク情報を受信する前に、前記方法は、さらに、
前記ネットワークデバイスは第１情報を送信することを含み、前記第１情報は、前記現在時間リソースセットのセット番号を示すために用いられる
請求項１４又は１５に記載のアンライセンス搬送波でアップリンク情報を伝送するための方法。
【請求項１７】
前記第１情報は、前記現在時間リソースセット内の先頭の時間リソースが所在するシステムフレームの番号（ＳＦＮ）情報を含み、又は、
前記第１情報は、前記現在時間リソースセットのセット番号情報を含む
請求項１６に記載のアンライセンス搬送波でアップリンク情報を伝送するための方法。
【請求項１８】
前記ネットワークデバイスは端末装置により前記アンライセンス搬送波の前記現在時間リソースセット内の第１時間リソースで送信されたアップリンク情報を受信する前に、前記方法は、さらに、
前記ネットワークデバイスは前記現在時間リソースセットで第２情報を送信すること、又は、
前記ネットワークデバイスは前記先行時間リソースセットで第３情報を送信すること、又は、
前記ネットワークデバイスは、予め設定された規則に従って、前記現在時間リソースセットが前記少なくとも１つの先行時間リソースセットに伝送されるダウンリンク情報に対応するアップリンク情報の伝送に用いられることを確定することを含み、
前記第２情報は、前記第１時間リソースが前記ネットワークデバイスにより前記少なくとも１つの先行時間リソースセットで伝送したダウンリンク情報に対応するアップリンク情報の伝送に用いられることを指示し、
前記第３情報は、前記ネットワークデバイスにより前記少なくとも１つの先行時間リソースセットで伝送されたダウンリンク情報に対応するアップリンク情報が、前記現在時間リソースセットで伝送されることを指示する
請求項１４〜１７のいずれか１項に記載のアンライセンス搬送波でアップリンク情報を伝送するための方法。
【請求項１９】
前記第３情報は、前記現在時間リソースセットのセット番号情報を含む
請求項１８に記載のアンライセンス搬送波でアップリンク情報を伝送するための方法。
【請求項２０】
前記第２情報は、前記少なくとも１つの先行時間リソースセットの各先行時間リソースセットのセット番号情報を含む
請求項１８に記載のアンライセンス搬送波でアップリンク情報を伝送するための方法。
【請求項２１】
前記第２情報は、さらに、前記少なくとも１つの先行時間リソースセットの少なくとも１つのターゲット時間リソース単位の時間リソース番号情報を含み、ここで、前記第１時間リソースは、前記ネットワークデバイスにより前記少なくとも１つのターゲット時間リソース単位で伝送されたダウンリンク情報に対応するアップリンク情報の伝送に用いられる
請求項２０に記載のアンライセンス搬送波でアップリンク情報を伝送するための方法。
【請求項２２】
前記ネットワークデバイスは端末装置により前記アンライセンス搬送波の現在時間リソースセット内の第１時間リソースで送信されたアップリンク情報を受信する前に、前記方法は、さらに、
前記ネットワークデバイスは前記現在時間リソースセットで第４情報を送信することを含み、前記第４情報は、前記第１時間リソースを示すために用いられる
請求項１４〜２１のいずれか１項に記載のアンライセンス搬送波でアップリンク情報を伝送するための方法。
【請求項２３】
前記ダウンリンク情報はＰＤＳＣＨを含み、前記アップリンク情報はＡＣＫ／ＮＡＣＫを含み、
前記ネットワークデバイスは、端末装置により前記アンライセンス搬送波の前記現在時間リソースセット内の第１時間リソースで送信されたアップリンク情報を受信することは、
前記ネットワークデバイスは、端末装置により前記第１時間リソースの物理アップリンク制御チャネル（ＰＵＣＣＨ）又はＰＵＳＣＨで伝送されたＮビットのＡＣＫ／ＮＡＣＫを受信することを含み、前記ＮビットのＡＣＫ／ＮＡＣＫは、前記端末装置が前記ネットワークデバイスにより前記少なくとも１つの先行時間リソースセットで前記端末装置に送信されたＰＤＳＣＨを成功に受信したかどうかを指示するために用いられる
請求項１４〜２２のいずれか１項に記載のアンライセンス搬送波でアップリンク情報を伝送するための方法。
【請求項２４】
前記ネットワークデバイスは、端末装置により前記第１時間リソースの物理アップリンク制御チャネル（ＰＵＣＣＨ）又はＰＵＳＣＨで伝送されたＮビットのＡＣＫ／ＮＡＣＫを受信することは、
前記ネットワークデバイスは、前記端末装置により前記第１時間リソースでＰＵＣＣＨフォーマット３、ＰＵＣＣＨフォーマット４、又はＰＵＣＣＨフォーマット５を使用して伝送されたＮビットのＡＣＫ／ＮＡＣＫを受信することを含む
請求項２３に記載のアンライセンス搬送波でアップリンク情報を伝送するための方法。
【請求項２５】
Ｎは以下の式で確定され、
【数５】
2019510385.tif 000020
ここで、Ｋは前記少なくとも１つの先行時間リソースセットの数を示し、Ｃは各ＰＤＳＣＨに対応するＡＣＫ／ＮＡＣＫの最大ビット数を示し、
【数６】
2019510385.tif 000021
は前記少なくとも１つの先行時間リソースセット内のｉ番目の先行時間リソースセットに含まれる時間リソース単位の数に等しく、又は、ｉ番目の時間リソースセットに含まれるダウンリンク時間リソース単位の数に等しく、又は、前記ネットワークデバイスによりｉ番目の時間リソースセットに配置されたパラメータ値に等しく、前記パラメータ値は前記ｉ番目の時間リソースセットに含まれる時間リソース単位の数の以下である
請求項２３又は２４に記載のアンライセンス搬送波でアップリンク情報を伝送するための方法。
【請求項２６】
Ｎは以下の式で確定され、
【数７】
2019510385.tif 000022
ここで、Ｋは前記少なくとも１つの先行時間リソースセットの数を示し、
【数８】
2019510385.tif 000023
は前記ネットワークデバイスにより前記少なくとも１つの先行時間リソースセットのｉ番目の時間リソースセットに配置されたパラメータ値に等しく、前記パラメータ値は０以上の整数である
請求項２３又は２４に記載のアンライセンス搬送波でアップリンク情報を伝送するための方法。
【請求項２７】
アンライセンス搬送波でアップリンク情報を伝送するための装置であって、
ネットワークデバイスが前記アンライセンス搬送波でデータ伝送を行うための現在時間リソースセットを確定するように構成される確定ユニットと、
前記確定ユニットにより確定された前記現在時間リソースセット内の第１時間リソースで前記ネットワークデバイスにアップリンク情報を送信するように構成される送信ユニットと、を含み、
前記ネットワークデバイスは、競争して得られた時間リソースセットを使用して前記アンライセンス搬送波でデータ伝送を行い、競争して得られた各時間リソースセットに含まれる時間リソースが連続に分布され、異なる時間リソースセット内の時間リソースが間隔をあけて分布され、前記ネットワークデバイスにより競争して得られた時間リソースセットは、前記現在時間リソースセットを含み、
前記アップリンク情報は、前記ネットワークデバイスにより前記現在時間リソースセットの少なくとも１つの先行時間リソースセットで伝送されたダウンリンク情報に対応する、前記アンライセンス搬送波でアップリンク情報を伝送するための装置。
【請求項２８】
前記ダウンリンク情報はダウンリンク制御情報（ＤＣＩ）を含み、前記アップリンク情報は物理アップリンク共有チャネル（ＰＵＳＣＨ）を含み、
及び／又は、
前記ダウンリンク情報は物理ダウンリンク共有チャネル（ＰＤＳＣＨ）を含み、前記アップリンク情報は確認ＡＣＫ／否定ＮＡＣＫを含む
請求項２７に記載のアンライセンス搬送波でアップリンク情報を伝送するための装置。
【請求項２９】
前記装置は、さらに、第１受信ユニットを含み、
前記第１受信ユニットは、前記ネットワークデバイスにより送信された第１情報を受信するように構成され、
前記確定ユニットは、具体的に、前記第１受信ユニットにより受信された前記第１情報に従って、前記ネットワークデバイスにより競争して得られた現在時間リソースセットのセット番号を確定するように構成される
請求項２７又は２８に記載のアンライセンス搬送波でアップリンク情報を伝送するための装置。
【請求項３０】
前記第１情報は、前記現在時間リソースセット内の先頭の時間リソースが所在するシステムフレームの番号（ＳＦＮ）情報を含み、又は、
前記第１情報は、前記現在時間リソースセットのセット番号情報を含む
請求項２９に記載のアンライセンス搬送波でアップリンク情報を伝送するための装置。
【請求項３１】
前記装置は、さらに、第２受信ユニットを含み、
前記第２受信ユニットは、前記送信ユニットが前記現在時間リソースセット内の第１時間リソースで前記ネットワークデバイスにアップリンク情報を送信する前に、前記ネットワークデバイスにより前記現在時間リソースセットで送信された第２情報を受信するように構成され、前記第２情報は、前記第１時間リソースが前記ネットワークデバイスにより前記少なくとも１つの先行時間リソースセットで伝送したダウンリンク情報に対応するアップリンク情報の伝送に用いられることを指示し、
又は、
前記装置は、さらに、第２受信ユニットを含み、
前記第２受信ユニットは、前記送信ユニットが前記現在時間リソースセット内の第１時間リソースで前記ネットワークデバイスにアップリンク情報を送信する前に、前記ネットワークデバイスにより前記少なくとも１つの先行時間リソースセットで送信された第３情報を受信するように構成され、前記第３情報は、前記ネットワークデバイスにより前記少なくとも１つの先行時間リソースセットで伝送されたダウンリンク情報に対応するアップリンク情報が前記現在時間リソースセットで伝送されることを指示し、
又は、
前記確定ユニットは、さらに、前記送信ユニットが前記現在時間リソースセット内の第１時間リソースで前記ネットワークデバイスにアップリンク情報を送信する前に、予め設定された規則に従って、前記現在時間リソースセットが前記ネットワークデバイスにより前記少なくとも１つの先行時間リソースセットで伝送されたダウンリンク情報に対応するアップリンク情報の伝送に用いられることを確定するように構成される
請求項２７〜３０のいずれか１項に記載のアンライセンス搬送波でアップリンク情報を伝送するための装置。
【請求項３２】
前記第３情報は、前記現在時間リソースセットのセット番号情報を含む
請求項３１に記載のアンライセンス搬送波でアップリンク情報を伝送するための装置。
【請求項３３】
前記第２情報は、前記少なくとも１つの先行時間リソースセットの各先行時間リソースセットのセット番号情報を含む
請求項３２に記載のアンライセンス搬送波でアップリンク情報を伝送するための装置。
【請求項３４】
前記第２情報は、さらに、前記少なくとも１つの先行時間リソースセットの少なくとも１つのターゲット時間リソース単位の時間リソース番号情報を含み、ここで、前記第１時間リソースは、前記ネットワークデバイスにより前記少なくとも１つのターゲット時間リソース単位で伝送されたダウンリンク情報に対応するアップリンク情報の伝送に用いられる
請求項３３に記載のアンライセンス搬送波でアップリンク情報を伝送するための装置。
【請求項３５】
前記確定ユニットは、さらに、前記送信ユニットが前記現在時間リソースセット内の第１時間リソースで前記ネットワークデバイスにアップリンク情報を送信する前に、予め設定された規則に従って、前記現在時間リソースセット内の前記第１時間リソースを確定するように構成され、
又は、
前記装置は、さらに、第３受信ユニットを含み、
前記第３受信ユニットは、前記送信ユニットが時間リソースセット内の第１時間リソースで前記ネットワークデバイスにアップリンク情報を送信する前に、前記ネットワークデバイスにより前記現在時間リソースセットで送信された第４情報を受信するように構成され、前記第４情報は、前記第１時間リソースを示すために用いられる
請求項２７〜３４のいずれか１項に記載のアンライセンス搬送波でアップリンク情報を伝送するための装置。
【請求項３６】
前記ダウンリンク情報はＰＤＳＣＨを含み、前記アップリンク情報はＡＣＫ／ＮＡＣＫを含み、
前記送信ユニットは、具体的に、前記第１時間リソースの物理アップリンク制御チャネル（ＰＵＣＣＨ）又はＰＵＳＣＨで前記ネットワークデバイスにＮビットのＡＣＫ／ＮＡＣＫを送信するように構成され、前記ＮビットのＡＣＫ／ＮＡＣＫは、前記端末装置が前記ネットワークデバイスにより前記少なくとも１つの先行時間リソースセットで前記端末装置に送信されたＰＤＳＣＨを成功に受信したかどうかを指示すために用いられる
請求項２７〜３５のいずれか１項に記載のアンライセンス搬送波でアップリンク情報を伝送するための装置。
【請求項３７】
前記送信ユニットは、具体的に、前記第１時間リソースでＰＵＣＣＨフォーマット３、ＰＵＣＣＨフォーマット４、又はＰＵＣＣＨフォーマット５を使用して前記ネットワークデバイスに前記ＮビットのＡＣＫ／ＮＡＣＫを送信するように構成される
請求項３６に記載のアンライセンス搬送波でアップリンク情報を伝送するための装置。
【請求項３８】
Ｎは以下の式で確定され、
【数９】
2019510385.tif 000024
ここで、Ｋは前記少なくとも１つの先行時間リソースセットの数を示し、Ｃは各ＰＤＳＣＨに対応するＡＣＫ／ＮＡＣＫの最大ビット数を示し、
【数１０】
2019510385.tif 000025
は前記少なくとも１つの先行時間リソースセット内のｉ番目の先行時間リソースセットに含まれる時間リソース単位の数に等しく、又は、ｉ番目の先行時間リソースセットに含まれるダウンリンク時間リソース単位の数に等しく、又は、前記ネットワークデバイスによりｉ番目の先行時間リソースセットに配置されたパラメータ値に等しく、前記パラメータ値は前記ｉ番目の先行時間リソースセットに含まれる時間リソース単位の数の以下である
請求項３６又は３７に記載のアンライセンス搬送波でアップリンク情報を伝送するための装置。
【請求項３９】
Ｎは以下の式で確定され、
【数１１】
2019510385.tif 000026
ここで、Ｋは前記少なくとも１つの先行時間リソースセットの数を示し、
【数１２】
2019510385.tif 000027
は前記ネットワークデバイスにより前記少なくとも１つの先行時間リソースセット内のｉ番目の先行時間リソースセットに配置されたパラメータ値に等しく、前記パラメータ値は０以上の整数である
請求項３６又は３７に記載のアンライセンス搬送波でアップリンク情報を伝送するための装置。
【請求項４０】
アンライセンス搬送波でアップリンク情報を伝送するための装置であって、
前記アンライセンス搬送波でデータ伝送を行うための現在時間リソースセットを確定するように構成される確定ユニットと、
端末装置により前記確定ユニットの確定された前記現在時間リソースセット内の第１時間リソースで送信されたアップリンク情報を受信するように構成される受信ユニットと、を含み
前記ネットワークデバイスは、競争して得られた時間リソースセットを使用して前記アンライセンス搬送波でデータ伝送を行い、競争して得られた各時間リソースセットに含まれる時間リソースが連続に分布され、異なる時間リソースセット内の時間リソースが間隔をあけて分布され、前記ネットワークデバイスにより競争して得られた時間リソースセットは、前記現在時間リソースセットを含み、
前記アップリンク情報は、前記ネットワークデバイスにより前記現在時間リソースセットの少なくとも１つの先行時間リソースセットで伝送されたダウンリンク情報に対応する、前記アンライセンス搬送波でアップリンク情報を伝送するための装置。
【請求項４１】
前記ダウンリンク情報はダウンリンク制御情報（ＤＣＩ）を含み、前記アップリンク情報は物理アップリンク共有チャネル（ＰＵＳＣＨ）を含み、
及び／又は、
前記ダウンリンク情報は物理ダウンリンク共有チャネル（ＰＤＳＣＨ）を含み、前記アップリンク情報は確認ＡＣＫ／否定ＮＡＣＫを含む
請求項４０に記載のアンライセンス搬送波でアップリンク情報を伝送するための装置。
【請求項４２】
前記装置は、さらに、第１送信ユニットを含み、
前記第１送信ユニットは、前記受信ユニットが端末装置の前記現在時間リソースセット内の第１時間リソースで送信されたアップリンク情報を受信する前に、第１情報を送信するように構成され、前記第１情報は、前記現在時間リソースセットのセット番号を示すために用いられる
請求項４０又は４１に記載のアンライセンス搬送波でアップリンク情報を伝送するための装置。
【請求項４３】
前記第１情報は、前記現在時間リソースセット内の先頭の時間リソースが所在するシステムフレームの番号（ＳＦＮ）情報を含み、
又は、
前記第１情報は、前記現在時間リソースセットのセット番号情報を含む
請求項４２に記載のアンライセンス搬送波でアップリンク情報を伝送するための装置。
【請求項４４】
前記装置は、さらに、第２送信ユニットを含み、
前記第２送信ユニットは、前記受信ユニットが端末装置により前記現在時間リソースセット内の第１時間リソースで送信されたアップリンク情報を受信する前に、前記現在時間リソースセットで第２情報を送信するように構成され、前記第２情報は、前記第１時間リソースが前記ネットワークデバイスにより前記少なくとも１つの先行時間リソースセットで伝送したダウンリンク情報に対応するアップリンク情報の伝送に用いられることを指示し、
又は、
前記装置は、さらに、第２送信ユニットを含み、
前記第２送信ユニットは、前記送信ユニットが前記確定ユニットにより確定された前記現在時間リソースセット内の第１時間リソースで前記ネットワークデバイスにアップリンク情報を送信する前に、前記先行時間リソースセットで第３情報を送信するように構成され、前記第３情報は、前記ネットワークデバイスにより前記少なくとも１つの先行時間リソースセットで伝送されたダウンリンク情報に対応するアップリンク情報が前記現在時間リソースセットで伝送されることを指示し、
又は、
前記確定ユニットは、さらに、予め設定された規則に従って、前記現在時間リソースセットが前記少なくとも１つの先行時間リソースセットで伝送されたダウンリンク情報に対応するアップリンク情報の伝送に用いられることを確定するように構成される
請求項４０〜４３のいずれか１項に記載のアンライセンス搬送波でアップリンク情報を伝送するための装置。
【請求項４５】
前記第３情報は、前記現在時間リソースセットのセット番号情報を含む
請求項４４に記載のアンライセンス搬送波でアップリンク情報を伝送するための装置。
【請求項４６】
前記第２情報は、前記少なくとも１つの先行時間リソースセットの各先行時間リソースセットのセット番号情報を含む
請求項４４に記載のアンライセンス搬送波でアップリンク情報を伝送するための装置。
【請求項４７】
前記第２情報は、さらに、前記少なくとも１つの先行時間リソースセットの少なくとも１つのターゲット時間リソース単位の時間リソース番号情報を含み、ここで、前記第１時間リソースは、前記ネットワークデバイスにより前記少なくとも１つのターゲット時間リソース単位で伝送されたダウンリンク情報に対応するアップリンク情報の伝送に用いられる
請求項４６に記載のアンライセンス搬送波でアップリンク情報を伝送するための装置。
【請求項４８】
前記装置は、さらに、第３送信ユニットを含み、
前記第３送信ユニットは、前記受信ユニットが端末装置により前記現在時間リソースセット内の第１時間リソースで送信されたアップリンク情報を受信する前に、前記現在時間リソースセットで第４情報を送信するように構成され、前記第４情報は、前記第１時間リソースを示すために用いられる
請求項４０〜４７のいずれか１項に記載のアンライセンス搬送波でアップリンク情報を伝送するための装置。
【請求項４９】
前記ダウンリンク情報はＰＤＳＣＨを含み、前記アップリンク情報はＡＣＫ／ＮＡＣＫを含み、
前記受信ユニットは、具体的に、端末装置により前記第１時間リソースの物理アップリンク制御チャネル（ＰＵＣＣＨ）又はＰＵＳＣＨで伝送されたＮビットのＡＣＫ／ＮＡＣＫを受信するように構成され、前記ＮビットのＡＣＫ／ＮＡＣＫは、前記端末装置が前記ネットワークデバイスにより前記少なくとも１つの先行時間リソースセットで前記端末装置に送信されたＰＤＳＣＨを成功に受信したかどうかを指示するために用いられる
請求項４０〜４８のいずれか１項に記載のアンライセンス搬送波でアップリンク情報を伝送するための装置。
【請求項５０】
前記受信ユニットは、具体的に、
前記ネットワークデバイスが、前記端末装置により前記第１時間リソースでＰＵＣＣＨフォーマット３、ＰＵＣＣＨフォーマット４、又はＰＵＣＣＨフォーマット５を使用して伝送されたＮビットのＡＣＫ／ＮＡＣＫを受信するように構成される
請求項４９に記載のアンライセンス搬送波でアップリンク情報を伝送するための装置。
【請求項５１】
Ｎは以下の式で確定され、
【数１３】
2019510385.tif 000028
ここで、Ｋは前記少なくとも１つの先行時間リソースセットの数を示し、Ｃは各ＰＤＳＣＨに対応するＡＣＫ／ＮＡＣＫの最大ビット数を示し、
【数１４】
2019510385.tif 000029
は前記少なくとも１つの先行時間リソースセット内のｉ番目の先行時間リソースセットに含まれる時間リソース単位の数に等しく、又は、ｉ番目の時間リソースセットに含まれるダウンリンク時間リソース単位の数に等しく、又は、前記ネットワークデバイスによりｉ番目の時間リソースセットに配置されたパラメータ値に等しく、前記パラメータ値は前記ｉ番目の時間リソースセットに含まれる時間リソース単位の数の以下である
請求項４９又は５０に記載のアンライセンス搬送波でアップリンク情報を伝送するための装置。
【請求項５２】
Ｎは以下の式で確定され、
【数１５】
2019510385.tif 000030
ここで、Ｋは前記少なくとも１つの先行時間リソースセットの数を示し、
【数１６】
2019510385.tif 000031
は前記ネットワークデバイスにより前記少なくとも１つの先行時間リソースセットのｉ番目の時間リソースセットに配置されたパラメータ値に等しく、前記パラメータ値は０以上の整数である
請求項４９又は５０に記載のアンライセンス搬送波でアップリンク情報を伝送するための装置。
【発明の詳細な説明】
【技術分野】
【０００１】
本発明の実施例は、通信分野に関し、具体的に、アンライセンス搬送波でアップリンク情報を伝送するための方法及び装置に関する。
【背景技術】
【０００２】
現在、無線セルラーシステムにおいてアンライセンス（Ｕｎｌｉｃｅｎｓｅｄ）周波数帯（例えば２．４ＧＨｚ、５．８ＧＨｚ）を使用してセルラーシステムの使用周波数を拡張することが考案し始まっており、その主要な手段はライセンス支援アクセス（ＬＡＡ：Ｌｉｃｅｓｅ  Ａｓｓｉｓｔｅｄ  Ａｃｃｅｓｓ）技術を含む。ＬＡＡの主な特徴は、アンライセンス周波数帯とライセンス周波数帯をアグリゲートして使用し、アンライセンス周波数帯を補助搬送波として使用し、アンライセンス周波数帯の使用が基地局のスケジューリングだけでなく、該周波数帯の負荷に制限されており、即ち、使用できるために競争メカニズムを通過する必要があることを含む。送信側のデバイスは、アンライセンス搬送波でデータを伝送する前に、該アンライセンス搬送波に対して話す前に聞く（ＬＢＴ：Ｌｉｓｔｅｎ  Ｂｅｆｏｒｅ  Ｔａｌｋ）検定を行う必要があり、さらに、チャネルがアイドル状態にあることを確定してから該アンライセンス搬送波でデータを伝送するしかできない。なお、送信側のデバイスが毎回にアンライセンス搬送波の伝送チャネルを占用する時間は、最大占用時間を超えないようにする必要がある。そのため、送信側のデバイスは、チャネルを一定時間に占用してから、チャネルをリリースする必要があり、しかもチャネルを再度に使用する時にチャネルリソースを再度に競争する必要がある。
【０００３】
現在、アンライセンス周波数帯でアップリンク情報を伝送するための技術案がまだ存在しない。端末装置はアンライセンス搬送波でアップリンク情報を送信する前にＬＢＴを実行する場合、異なる端末装置のセル内の位置が相異するため、同一のアンライセンス搬送波に対する検定結果も大きく相違するため、システムにおいて端末装置のアップリンク情報伝送の時間差異が大きく、なお、ネットワークデバイス（例えば基地局）が異なる端末装置のそれぞれに対して、そのアップリンク情報のタイミング順序関係（例えば確認（ＡＣＫ  Ａｃｋｎｏｗｌｅｄｇｅｍｅｎｔ）／（ＮＡＣＫ  Ｎｏｎ−Ａｃｋｎｏｗｌｅｄｇｅｍｅｎｔ）フィードバック情報）を維持する必要があるため、その実現は複雑である。
【発明の概要】
【発明が解決しようとする課題】
【０００４】
本発明の実施例は、アンライセンス搬送波でのアップリンク情報伝送を実現することができるように、アンライセンス搬送波でアップリンク情報を伝送するための方法及び装置を提供する。
【課題を解決するための手段】
【０００５】
第１形態は、アンライセンス搬送波でアップリンク情報を伝送するための方法を提供し、前記方法は、端末装置は、ネットワークデバイスが該アンライセンス搬送波でデータ伝送を行うための現在時間リソースセットを確定することと、該端末装置は、該アンライセンス搬送波の該現在時間リソースセット内の第１時間リソースで該ネットワークデバイスにアップリンク情報を送信することとを含み、ここで、該ネットワークデバイスは競争して得られた時間リソースセットを使用して該アンライセンス搬送波でデータ伝送を行い、各時間リソースセットに含まれる時間リソースが連続に分布され、異なる時間リソースセット内の時間リソースが間隔をあけて分布され、該アップリンク情報は、該ネットワークデバイスにより該現在時間リソースセットの少なくとも１つの先行時間リソースセットで伝送されたダウンリンク情報に対応する。
【０００６】
具体的に、該ネットワークデバイスにより競争して得られた時間リソースセットは、該現在時間リソースセット及び該少なくとも１つの先行時間リソースセットを含み、該少なくとも１つの先行時間リソースセットのうちの任意の時間リソースが該現在時間リソースセットの任意の時間リソースの前に位置する。
【０００７】
そのため、本発明の実施例におけるアンライセンス搬送波でアップリンク情報を伝送するための方法によって、ネットワークデバイスによりアンライセンス搬送波での伝送リソースを競争し、端末装置は、該ネットワークデバイスにより競争して得られたアンライセンス搬送波の現在時間リソースセットでアップリンク情報を伝送し、該アップリンク情報は、ネットワークデバイスにより少なくとも１つの先行時間リソースセットで伝送されたダウンリンク情報に対応し、端末装置は、該アンライセンス搬送波の伝送リソースを競争する必要がなく、アップリンク情報の伝送を行うことができる。
【０００８】
第１形態を結合し、第１形態の第１実現可能な方式において、該ダウンリンク情報はＤＣＩを含み、該アップリンク情報はＰＵＳＣＨを含み、及び／又は、該ダウンリンク情報はＰＤＳＣＨを含み、該アップリンク情報はＡＣＫ／ＮＡＣＫを含む。
【０００９】
上記の実現可能な方式を結合し、第１形態の第２実現可能な方式において、該端末装置は、該ネットワークデバイスが該アンライセンス搬送波でデータ伝送を行うための現在時間リソースセットを確定することは、該端末装置は該ネットワークデバイスにより送信された第１情報を受信することと、該端末装置は該第１情報に従って、該ネットワークデバイスにより競争して得られた現在時間リソースセットのセット番号を確定することとを含む。
【００１０】
上記の実現可能な方式を結合し、第１形態の第３実現可能な方式において、該第１情報は、該現在時間リソースセットの先頭の時間リソースが所在するシステムフレーム番号情報を含み、又は、該第１情報は、該現在時間リソースセットのセット番号情報を含む。
【００１１】
上記の実現可能な方式を結合し、第１形態の第４実現可能な方式において、該端末装置は、該アンライセンス搬送波の該現在時間リソースセット内の第１時間リソースで該ネットワークデバイスにアップリンク情報を送信する前に、該方法は、さらに、該端末装置は該ネットワークデバイスにより該現在時間リソースセットで送信された第２情報を受信すること、又は、該端末装置は、該ネットワークデバイスにより該少なくとも１つの先行時間リソースセットで送信された第３情報を受信すること、又は、該端末装置は、予め設定された規則に従って、該現在時間リソースセット又は第１時間リソースが該ネットワークデバイスにより該少なくとも１つの先行時間リソースセットで伝送されたダウンリンク情報に対応するアップリンク情報の伝送に用いられることを確認することを含み、該第２情報は、該現在時間リソースセット又は第１時間リソースが該ネットワークデバイスにより該少なくとも１つの先行時間リソースセットで伝送されたダウンリンク情報に対応するアップリンク情報の伝送に用いられることを指示し、該第３情報は、該ネットワークデバイスにより該少なくとも１つの先行時間リソースセットで伝送されたダウンリンク情報に対応するアップリンク情報が、該現在時間リソースセット又は第１時間リソースで送信されることを指示する。
【００１２】
上記の実現可能な方式を結合し、第１形態の第５実現可能な方式において、該第３情報は該現在時間リソースセットのセット番号情報を含む。
【００１３】
上記の実現可能な方式を結合し、第１形態の第６実現可能な方式において、該第２情報は、該少なくとも１つの先行時間リソースセットのうちの各先行時間リソースセットのセット番号情報を含む。
【００１４】
上記の実現可能な方式を結合し、第１形態の第７実現可能な方式において、該第２情報はさらに該少なくとも１つの先行時間リソースセットのうちの少なくとも１つのターゲット時間リソース単位の時間リソース番号情報を含み、ここで、該第１時間リソースは、該ネットワークデバイスにより該少なくとも１つのターゲット時間リソース単位で伝送されたダウンリンク情報に対応するアップリンク情報の伝送に用いられる。
【００１５】
選択可能なものとして、時間リソース単位はサブフレームであり、該第２情報は、さらに、該少なくとも１つの先行時間リソースセット内の少なくとも１つのターゲットサブフレームのサブフレーム番号情報を含む。この時、該第１時間リソースは、具体的に、該少なくとも１つのターゲットサブフレームに対応してもよい。
【００１６】
上記の実現可能な方式を結合し、第１形態の第８実現可能な方式において、該端末装置は該アンライセンス搬送波の該現在時間リソースセット内の第１時間リソースで該ネットワークデバイスにアップリンク情報を送信する前に、該方法は、さらに、該端末装置は予め設定された規則に従って、該現在時間リソースセット内の該第１時間リソースを確定し、又は、該端末装置は該ネットワークデバイスにより該現在時間リソースセットで送信された第４情報を受信することを含み、該第４情報は、該第１時間リソースを示すために用いられる。
【００１７】
上記の実現可能な方式を結合し、第１形態の第９実現可能な方式において、該ダウンリンク情報はＰＤＳＣＨを含み、該アップリンク情報はＡＣＫ／ＮＡＣＫを含み、該端末装置はアンライセンス搬送波の該現在時間リソースセット内の第１時間リソースで該ネットワークデバイスにアップリンク情報を送信することは、該端末装置は該第１時間リソースのＰＵＣＣＨ又はＰＵＳＣＨで該ネットワークデバイスにＮビットのＡＣＫ／ＮＡＣＫを送信することを含み、該ＮビットのＡＣＫ／ＮＡＣＫは、該端末装置が該ネットワークデバイスにより該少なくとも１つの先行時間リソースセットで該端末装置に送信されたＰＤＳＣＨを成功に受信したかどうかを指示するために用いられる。
【００１８】
上記の実現可能な方式を結合し、第１形態の第１０実現可能な方式において、該端末装置は該第１時間リソースのＰＵＣＣＨ又はＰＵＳＣＨで該ネットワークデバイスにＮビットのＡＣＫ／ＮＡＣＫを送信することは、該端末装置は該第１時間リソースでＰＵＣＣＨフォーマット３、ＰＵＣＣＨフォーマット４、又はＰＵＣＣＨフォーマット５を使用して該ネットワークデバイスに該ＮビットのＡＣＫ／ＮＡＣＫを送信することを含む。
【００１９】
上記の実現可能な方式を結合し、第１形態の第１１実現可能な方式において、Ｎは以下の式で確定され、
【数１】
2019510385.tif 000003
【００２０】
ここで、Ｋは該少なくとも１つの先行時間リソースセットの数を示し、Ｃは各ＰＤＳＣ
【数２】
2019510385.tif 000004
【００２１】
は該少なくとも１つの先行時間リソースセット内のｉ番目の先行時間リソースセットに含まれる時間リソース単位の数に等しく、又は、ｉ番目の先行時間リソースセットに含まれるダウンリンク時間リソース単位の数に等しく、又は、該ネットワークデバイスによりｉ番目の先行時間リソースセットに配置されたパラメータ値に等しく、該パラメータ値は、該ｉ番目の先行時間リソースセットに含まれる時間リソース単位の数の以下である。
【００２２】
上記の実現可能な方式を結合し、第１形態の第１２実現可能な方式において、Ｎは以下の式で確定され、
【数３】
2019510385.tif 000005
【００２３】
【数４】
2019510385.tif 000006
【００２４】
は該ネットワークデバイスにより該少なくとも１つの先行時間リソースセットのｉ番目の先行時間リソースセットに配置されたパラメータ値に等しく、該パラメータ値は０以上の整数である。
【００２５】
第２形態は、もう1つのアンライセンス搬送波でアップリンク情報を伝送するための方法を提供し、前記方法は、ネットワークデバイスは、該アンライセンス搬送波でデータ伝送を行うための現在時間リソースセットを確定することと、該ネットワークデバイスは、端末装置により該アンライセンス搬送波の該現在時間リソースセット内の第１時間リソースで送信されたアップリンク情報を受信することとを含み、ここで、該ネットワークデバイスは、競争して得られた時間リソースセットを使用して該アンライセンス搬送波でデータ伝送を行い、各時間リソースセットに含まれる時間リソースが連続に分布され、しかも異なる時間リソースセット内の時間リソースが間隔をあけて分布され、該アップリンク情報は、該ネットワークデバイスにより少なくとも１つの先行時間リソースセットで伝送されたダウンリンク情報に対応する。
【００２６】
具体的に、該ネットワークデバイスにより競争して得られた時間リソースセットは、該現在時間リソースセットと該少なくとも１つの先行時間リソースセットを含むことができ、該少なくとも１つの先行時間リソースセット内の任意の時間リソースが該現在時間リソースセット内の任意の時間リソースの前に位置する。
【００２７】
第２形態を結合し、第２形態の第１実現可能な方式において、該ダウンリンク情報はＤＣＩを含み、該アップリンク情報はＰＵＳＣＨを含み、及び／又は、該ダウンリンク情報はＰＤＳＣＨを含み、該アップリンク情報はＡＣＫ／ＮＡＣＫを含む。
【００２８】
上記の実現可能な方式を結合し、第２形態の第２実現可能な方式において、該ネットワークデバイスは端末装置により該アンライセンス搬送波の該現在時間リソースセット内の第１時間リソースで送信されたアップリンク情報を受信する前に、該方法は、さらに、該ネットワークデバイスは第１情報を送信することを含み、該第１情報は、該現在時間リソースセットのセット番号を示すために用いられる。
【００２９】
上記の実現可能な方式を結合し、在第２形態の第３実現可能な方式において、該第１情報は、該現在時間リソースセットの先頭の時間リソースが所在するシステムフレーム番号情報を含み、又は、該第１情報は、該現在時間リソースセットのセット番号情報を含む。
【００３０】
上記の実現可能な方式を結合し、第２形態の第４実現可能な方式において、該ネットワークデバイスは端末装置により該アンライセンス搬送波の該現在時間リソースセット内の第１時間リソースで送信されたアップリンク情報を受信する前に、該方法は、さらに、該ネットワークデバイスは該現在時間リソースセットで第２情報を送信すること、又は、該ネットワークデバイスは該先行時間リソースセットで第３情報を送信すること、又は、該ネットワークデバイスは予め設定された規則に従って、該現在時間リソースセット又は第１時間リソースが該少なくとも１つの先行時間リソースセットで伝送されたダウンリンク情報に対応するアップリンク情報の伝送に用いられることを確定することを含み、該第２情報は、該第１時間リソースセット又は第１時間リソースが該ネットワークデバイスにより該少なくとも１つの先行時間リソースセットで伝送されたダウンリンク情報に対応するアップリンク情報の伝送に用いられることを指示し、該第３情報は、該ネットワークデバイスにより該少なくとも１つの先行時間リソースセットで伝送されたダウンリンク情報に対応するアップリンク情報が、該現在時間リソースセット又は第１時間リソースで送信されることを指示する。
【００３１】
上記の実現可能な方式を結合し、第２形態の第５実現可能な方式において、該第３情報は該現在時間リソースセットのセット番号情報を含む。
【００３２】
上記の実現可能な方式を結合し、第２形態の第６実現可能な方式において、該第２情報は、該少なくとも１つの先行時間リソースセットのうちの各先行時間リソースセットのセット番号情報を含む。
【００３３】
上記の実現可能な方式を結合し、第２形態の第７実現可能な方式において、該第２情報はさらに該少なくとも１つの先行時間リソースセットのうちの少なくとも１つのターゲット時間リソース単位の時間リソース番号情報を含み、ここで、該第１時間リソースは、該ネットワークデバイスにより該少なくとも１つのターゲット時間リソース単位で伝送されたダウンリンク情報に対応するアップリンク情報の伝送に用いられる。
【００３４】
上記の実現可能な方式を結合し、第２形態の第８実現可能な方式において、該ネットワークデバイスは端末装置により該アンライセンス搬送波の現在時間リソースセット内の第１時間リソースで送信されたアップリンク情報を受信する前に、該方法は、さらに、該ネットワークデバイスは該現在時間リソースセットで第４情報を送信することを含み、該第４情報は該第１時間リソースを示すために用いられる。
【００３５】
上記の実現可能な方式を結合し、第２形態の第９実現可能な方式において、該ダウンリンク情報はＰＤＳＣＨを含み、該アップリンク情報はＡＣＫ／ＮＡＣＫを含み、該ネットワークデバイスは、端末装置により該アンライセンス搬送波の該現在時間リソースセット内の第１時間リソースで送信されたアップリンク情報を受信することは、該ネットワークデバイスは、端末装置により該第１時間リソースのＰＵＣＣＨ又はＰＵＳＣＨで伝送されたＮビットのＡＣＫ／ＮＡＣＫを受信することを含み、該ＮビットのＡＣＫ／ＮＡＣＫは、該端末装置が該ネットワークデバイスにより該少なくとも１つの先行時間リソースセットで該端末装置に送信されたＰＤＳＣＨを成功に受信したかどうかを指示するために用いられる。
【００３６】
上記の実現可能な方式を結合し、第２形態の第１０実現可能な方式において、該ネットワークデバイスは端末装置により該第１時間リソースのＰＵＣＣＨ又はＰＵＳＣＨで伝送されたＮビットのＡＣＫ／ＮＡＣＫを受信することは、該ネットワークデバイスは、該端末装置により該第１時間リソースでＰＵＣＣＨフォーマット３、又はＰＵＣＣＨフォーマット４、又はＰＵＣＣＨフォーマット５を使用して伝送されたＮビットのＡＣＫ／ＮＡＣＫを受信することを含み。
【００３７】
上記の実現可能な方式を結合し、第２形態の第１１実現可能な方式において、Ｎは以下の式で確定され、
【数５】
2019510385.tif 000007
【００３８】
ここで、Ｋは該少なくとも１つの先行時間リソースセットの数を示し、Ｃは各ＰＤＳＣ
【数６】
2019510385.tif 000008
【００３９】
は該少なくとも１つの先行時間リソースセット内のｉ番目の先行時間リソースセットに含まれる時間リソース単位の数に等しく、又は、ｉ番目の時間リソースセットに含まれるダウンリンク時間リソース単位の数に等しく、又は、該ネットワークデバイスによりｉ番目の時間リソースセットに配置されたパラメータ値に等しく、該パラメータ値は、該ｉ番目の時間リソースセットに含まれる時間リソース単位の数の以下である。
【００４０】
上記の実現可能な方式を結合し、第２形態の第１２実現可能な方式において、Ｎは以下の式で確定され、
【数７】
2019510385.tif 000009
【００４１】
ここで、Ｋは該少なくとも１つの先行時間リソースセットの数を示し、
【数８】
2019510385.tif 000010
【００４２】
は該ネットワークデバイスにより該少なくとも１つの先行時間リソースセットのｉ番目の時間リソースセットに配置されたパラメータ値に等しく、該パラメータ値は０以上の整数である。
【００４３】
第３形態は、アンライセンス搬送波でアップリンク情報を伝送するための装置を提供し、上記の第１形態又は第１形態の任意の実現可能な方式の方法を実行するに用いられる。具体的に、該装置は、上記の第１形態又は第１形態の任意の実現可能な方式の方法を実行するためのユニットを含む。
【００４４】
第４形態は、アンライセンス搬送波でアップリンク情報を伝送するための他の装置を提供し、上記の第２形態又は第２形態の任意の実現可能な方式の方法を実行するに用いられる。具体的に、該装置は、上記の第２形態又は第２形態の任意の実現可能な方式の方法を実行するためのユニットを含む。
【００４５】
第５形態は、アンライセンス搬送波でアップリンク情報を伝送するための他の装置を提供し、記憶ユニット及びプロセッサを含み、該記憶ユニットは命令を記憶するために用いられ、該プロセッサは該メモリーに記憶された命令を実行するために用いられ、しかも該プロセッサが該メモリーに記憶された命令を実行する場合、該実行により該プロセッサは第１形態又は第１形態の任意の実現可能な方式の方法を実行する。
【００４６】
第６形態は、アンライセンス搬送波でアップリンク情報を伝送するための他の装置を提供し、記憶ユニット及びプロセッサを含み、該記憶ユニットは命令を記憶するために用いられ、該プロセッサは該メモリーに記憶された命令を実行するために用いられ、しかも該プロセッサが該メモリーに記憶された命令を実行する場合、該実行により該プロセッサは第２形態又は第２形態の任意の実現可能な方式の方法を実行する。
【００４７】
第７形態は、コンピュータ可読記憶媒体を提供し、コンピュータプログラムを記憶するために用いられ、該コンピュータプログラムは、第１形態又は第１形態の任意の実現可能な方式の方法を実行するための命令を含む。
【００４８】
第８形態は、コンピュータ可読記憶媒体を提供し、コンピュータプログラムを記憶するために用いられ、該コンピュータプログラムは、第２形態又は第２形態の任意の実現可能な方式の方法を実行するための命令を含む。
【００４９】
選択可能なものとして、本発明の幾つかの形態において、該ネットワークデバイスは、ブロードキャストで第１情報、第２情報、第３情報及び第４情報のうちの少なくとも１つを送信する。
【００５０】
そうすると、該ネットワークデバイスは、すべての端末装置が同様なアップリンクとダウンリンクとのサブフレーム対応関係又はＨＡＲＱ対応関係を採用するように構成され、各端末装置の状況に基づいて、それらのアップリンクとダウンリンクとのサブフレーム対応関係をそれぞれ確定する必要がなく、それによって、該ネットワークデバイスの複雑度を低減させ、システム性能を向上させることができる。
【図面の簡単な説明】
【００５１】
【図１】本発明の実施例が応用されるシステムの構成図である。
【図２】本発明の実施例におけるアンライセンス搬送波でアップリンク情報を伝送するための方法のフローチャートである。
【図３】本発明の実施例におけるアンライセンス搬送波でアップリンク情報を伝送するための方法の構成例である。
【図４】本発明の実施例におけるアンライセンス搬送波でアップリンク情報を伝送するための方法の他の構成例である。
【図５】本発明の実施例におけるアンライセンス搬送波でアップリンク情報を伝送するための方法の他の構成例である。
【図６】本発明の実施例におけるアンライセンス搬送波でアップリンク情報を伝送するための装置のブロック図である。
【図７】本発明の実施例におけるアンライセンス搬送波でアップリンク情報を伝送するための装置の他のブロック図である。
【図８】本発明の実施例におけるアンライセンス搬送波でアップリンク情報を伝送するための装置の他のブロック図である。
【図９】本発明の実施例におけるアンライセンス搬送波でアップリンク情報を伝送するための装置の他のブロック図である。
【発明を実施するための形態】
【００５２】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００５３】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００５４】
理解すべきものとして、本発明の実施例における技術案は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイドインターオペラビリティフォーマイクロウェーブアクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムなどに応用されることができる。
【００５５】
なお、本明細書に単語「システム」及び「ネットワーク」は置換可能に使用される。本明細書に単語「及び／又は」は、関連対象の関連関係を示し、３つの関係を示し、例えば、Ａ及び／又はＢは、Ａが単独で存在し、ＡとＢが同時に存在し、Ｂが単独で存在するという３つの状況を示す。また、本明細書に符号「／」は、通常に、前後の対象の「又は」の関係を示す。
【００５６】
図１は本発明の実施例が応用される無線通信システム１００を示す。該無線通信システム１００は、少なくとも１つのネットワークデバイス１１０を含むことができる。ネットワークデバイス１００は、端末装置と通信するデバイスであってもよい。各ネットワークデバイス１００は、特定の地理エリアに通信カバレージを提供し、該カバレージエリアに位置する端末装置と通信することができる。該ネットワークデバイス１００は、ＧＳＭシステム又はＣＤＭＡ（ＣＤＭＡ：Ｃｏｄｅ  Ｄｉｖｉｓｉｏｎ  Ｍｕｌｔｉｐｌｅ  Ａｃｃｅｓｓ）システムにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）、クラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラー、リピータ、アクセスポイント、車載デバイス、ウェアラブルデバイス及び将来の５Ｇネットワークにおけるネットワーク側デバイス、又は未来進化型の公衆移動通信網（ＰＬＭＮ：Ｐｕｂｌｉｃ  Ｌａｎｄ  Ｍｏｂｉｌｅ  Ｎｅｔｗｏｒｋ）におけるネットワークデバイスなどであってもよい。
【００５７】
該無線通信システム１００には、さらに、ネットワークデバイス１１０のカバー範囲に位置する複数の端末装置１２０が含まれる。該端末装置１２０は、移動又は固定の端末装置であってもよい。該端末装置１２０は、アクセス端末、端末はユーザ装置（ＵＥ：Ｕｓｅｒ  Ｅｑｕｉｐｍｅｎｔ）、加入者ユニット、加入者サイト、移動サイト、移動局、遠隔局、遠隔端末、移動装置、ユーザ端末、端末、無線通信装置、ユーザエージェント又はユーザデバイスであってもよい。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末、又は未来進化型の公衆移動通信網（ＰＬＭＮ：Ｐｕｂｌｉｃ  Ｌａｎｄ  Ｍｏｂｉｌｅ  Ｎｅｔｗｏｒｋ）における端末装置などであってもよい。
【００５８】
図１は1つのネットワークデバイス及び２つの端末装置を示し、選択的なものとして、該無線通信システム１００は、複数のネットワークデバイスを含み、各ネットワークデバイスのカバー範囲に他の数量の端末装置が含まれてもよく、本発明の実施例はこれに限定しない。
【００５９】
選択可能なものとして、該無線通信システム１００は、さらに、ネットワークコントローラ、モバイル管理エンティティ等の他のネットワークエンティティを含むことができ、本発明の実施例はこれに限定しない。
【００６０】
該無線通信システム１００はＬＡＡをサポートすることができ、例えば、該無線通信システム１００は、具体的に、ＬＡＡ−ＬＴＥであってもよいし、他の通信システムであってもよく、本発明の実施例はこれに限定しない。ネットワークデバイス１１０と端末装置１２０は、ＬＡＡを使用して通信を行う場合、ライセンススペクトル（Ｌｉｃｅｎｓｅｄ  Ｓｐｅｃｔｒｕｍ）を使用してもよいし、アンライセンススペクトル（Ｕｎｌｉｃｅｎｓｅｄ  Ｓｐｅｃｔｒｕｍ）を使用してもよく、ここで、アンライセンススペクトルは、ＬＡＡによって、ライセンススペクトルのみが本来に使用されるセルラー通信ネットワーク（例えばＬＴＥ）に組み込まれ、しかも搬送波アグリゲーションシーンにおいて補助搬送波として使用される。ライセンススペクトルについて、許可されて使用され、アンライセンススペクトルについて、許可される必要がなく、誰ても合法的に使用することができる。この時、ライセンススペクトルでの搬送波は、ライセンス搬送波（Ｌｉｃｅｎｓｅｄ  Ｃａｒｒｉｅｒ）と呼ばれ、アンライセンススペクトルでの搬送波は、アンライセンス搬送波（Ｕｎｌｉｃｅｎｓｅｄ  Ｃａｒｒｉｅｒ）と呼ばれる。
【００６１】
長期進化型のライセンスアシストアクセス（ＬＡＡ−ＬＴＥ：Ｌｉｃｅｎｓｅｄ  Ａｓｓｉｓｔｅｄ  Ａｃｃｅｓｓ  Ｕｓｉｎｇ  Ｌｏｎｇ  Ｔｅｒｍ  Ｅｖｏｌｕｔｉｏｎ）システム又はＬＡＡをサポートする他の通信システムにおいて、ネットワークデバイスは、ライセンス搬送波のアシストによってアンライセンス搬送波をスケジューリングすることができ、ここで、アンライセンス搬送波のアクセスはＬＢＴメカニズムによって実現するが、本発明の実施例はこれに限定しない。選択可能なものとして、ネットワークデバイスは、アンライセンス搬送波でデータ伝送を行う前に、無線ローカルエリアネットワーク（ＷＬＡＮ：Ｗｉｒｅｌｅｓｓ  Ｌｏｃａｌ  Ａｒｅａ  Ｎｅｔｗｏｒｋ）におけるノード及び／又はセルラネットワークにＬＡＡを使用して他のノードとは、該アンライセンス搬送波でのリソースを競争し、競争成功である場合、競争して得られたリソースを使用してデータ伝送を行う。
【００６２】
説明を分かり易くするため、該ネットワークデバイスにより毎回に競争して得られた該アンライセンス搬送波での連続の時間リソースを１つの時間リソースセットとし、該時間リソースセットは、少なくとも１つの連続のサブフレームを含むことができ、又は、少なくとも１つの連続のサブフレーム及びあるサブフレームにおける一部の時間リソース（例えば、あるサブフレームにおける少なくとも１つの連続の符号）を含むことができ、例えば、連続に分布されたサブフレームｎ〜サブフレームｍ及びサブフレームｍ＋１のうちの少なくとも１つの連続の符号を含むことができるが、本発明の実施例はこれに限定しない。
【００６３】
該ネットワークデバイスにより競争して得られた各時間リソースセットは、連続に分布された時間リソースを含むことができ、異なる時間リソースセットに含まれる時間リソースは、間隔を隔て分布されてもよく、ここで、間隔は、１つの以上のサブフレームであってもよいし、１つの以上の符号であってもよく、本発明の実施例はこれに限定しない。
【００６４】
該ネットワークデバイスは、競争して得られた時間リソースセットにおいてデータ伝送を行うことができ、例えば、該ネットワークデバイスは、時間リソースセットにおいて端末装置にダウンリンク情報、例えばシグナリング又はＰＤＳＣＨをを送信してもよいし、端末装置により時間リソースセットで送信されたアップリンク情報、例えばアップリンクフィードバック又はＰＵＳＣＨを受信してもよく、本発明の実施例はこれに限定しない。
【００６５】
図２は本発明の実施例におけるアップリンク情報を伝送するための方法２００を示す。該方法は、ＬＡＡにおけるアンライセンス搬送波でアップリンク情報を伝送するために用いられることができる。
【００６６】
Ｓ２１０において、ネットワークデバイスは、アンライセンス搬送波の少なくとも１つの先行時間リソースセットを競争して取得し、少なくとも１つの先行時間リソースセットで端末装置にダウンリンク情報を送信する。
【００６７】
選択可能なものとして、該ネットワークデバイスは、ＬＢＴメカニズムを使用して、アンライセンス搬送波の伝送チャネルを競争してもよい。該ネットワークデバイスは、少なくとも１つの先行時間リソースセット内の各先行時間リソースセットを競争して取得し、少なくとも１つの先行時間リソースセットでダウンリンク情報を送信してもよい。選択可能なものとして、該ネットワークデバイスは、該少なくとも１つの先行時間リソースセットにおいて、他の端末装置にもダウンリンク情報を送信してもよい。
【００６８】
Ｓ２２０において、ネットワークデバイスは、アンライセンス搬送波での伝送リソースを継続に競争する。
【００６９】
該ネットワークデバイスは該アンライセンス搬送波での伝送リソースを競争して取得した場合、該ネットワークデバイスにより現在に競争して得られた該アンライセンス搬送波での連続の時間リソースが構成する時間リソースセットを現在時間リソースセットと呼ばれることができる。
【００７０】
Ｓ２３０において、端末装置は、ネットワークデバイスが該アンライセンス搬送波でデータ伝送を行うための現在時間リソースセットを確定する。
【００７１】
該端末装置は、多種の方式でネットワークデバイスにより現在に競争して得られた時間リソースセット、即ち現在時間リソースセットを確定することができる。選択可能なものとして、該ネットワークデバイスは、該現在時間リソースセットで情報を送信し、該情報は指示情報又は物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を含み、それに対応し、該端末装置は、該現在時間リソースセットで受信された情報に従って、該ネットワークデバイスにより競争して得られた該アンライセンス搬送波の現在時間リソースセットを確定する。例えば、該ネットワークデバイスは、該現在時間リソースセットの先頭の時間リソースで該情報を送信し、具体的に、ブロードキャスト又はユニキャストによって該端末装置に送信することができ、本発明の実施例はこれに限定しない。
【００７２】
１つの選択的な実施例として、該ネットワークデバイスは、現在時間リソースセットで第１情報を送信してもよく、該第１情報は、該現在時間リソースセットのセット番号を示すために用いられ、それに対応し、該端末装置は、該第１情報に従って、該現在時間リソースセットのセット番号を確定し、即ち、該現在時間リソースがネットワークデバイスにより競争して得られた何番目の時間リソースセットであることを確定する。該第１情報は、該現在時間リソースセットのセット番号を明示又は暗黙的に示すことができる。選択可能なものとして、該第１情報は、該現在時間リソースセットの先頭の時間リソースが所在するシステムフレームの番号情報を含むことができ、例えば、該第１情報は、現在時間リソースセット内の１番目のサブフレームのシステムフレーム番号（ＳＦＮ：Ｓｙｓｔｅｍ  Ｆｒａｍｅ  Ｎｕｍｂｅｒ）情報を含むことができ、又は、該第１情報は、該現在時間リソースセットのセット番号情報を含むことができ、例えば、ネットワークデバイスによりアンライセンス搬送波で競争して得られた時間リソースセットを時間の順番に従って番号を付けるが、本発明の実施例はこれに限定しない。
【００７３】
選択可能なものとして、該端末装置は該第１情報に従って、該現在時間リソースセットに含まれる連続の時間リソースを確定してもよい。例えば、該ネットワークデバイスは、現在時間リソースセット内の特定の時間リソース（例えば、該特定の時間リソースは、具体的に、該現在時間リソースセット内のＮ番目の時間リソース単位であってもよく、該時間リソース単位は、サブフレーム、符号、又はその他の単位であってもよい）において該第１情報を送信してもよく、該特定の時間リソースは、該現在時間リソースセットの先頭の時間リソースであってもよく、それに対応し、該端末装置は、該特定の時間リソースに従って、該現在時間リソースセットに含まれる連続の時間リソースを確定してもよいが、本発明の実施例はこれに限定しない。
【００７４】
該ネットワークデバイスは、ブロードキャストによって該第１情報を送信してもよいし、ユニキャスト又はマルチキャストによって該第１情報を送信してもよいが、本発明の実施例はこれに限定しない。
【００７５】
Ｓ２４０において、端末装置は、該アンライセンス搬送波の第１時間リソースでネットワークデバイスにアップリンク情報を送信し、ここで、該アップリンク情報は、該ネットワークデバイスにより少なくとも１つの先行時間リソースセットで伝送されたダウンリンク情報に対応する。
【００７６】
該少なくとも１つの先行時間リソースセット内の各時間リソースセットが該現在時間リソースセットの前に位置し、即ち、該少なくとも１つの先行時間リソースセット内の任意の時間リソースが該現在時間リソースセット内の任意の時間リソースの前に位置する。該ネットワークデバイスは、該アンライセンス搬送波の少なくとも１つの先行時間リソースセットを競争して取得し、該少なくとも１つの先行時間リソースセット内の各先行時間リソースセットでダウンリンク情報を伝送し、該ダウンリンク情報は、ＰＤＳＣＨ又はダウンリンク制御シグナリングを含むことができる。該端末装置は、現在時間リソースセットで該ネットワークデバイスに該少なくとも１つの先行時間リソースセットにおけるダウンリンク情報に対応するアップリンク情報を送信し、ここで、ダウンリンク情報がＰＤＳＣＨを含む場合、該端末装置により送信されたアップリンク情報は、該端末装置が該ＰＤＳＣＨのフィードバック情報を成功に受信したかどうかを指示するためのフィードバック情報例えばＡＣＫ／ＮＡＣＫを含むことができ、ダウンリンク情報がダウンリンク制御シグナリング、例えばダウンリンク制御情報（ＤＣＩ：Ｄｏｗｎｌｉｎｋ  Ｃｏｎｔｒｏｌ  Ｉｎｆｏｒｍａｔｉｏｎ）を含む場合、該端末装置により送信されたアップリンク情報は、該ダウンリンク制御シグナリングによりスケジューリングされたＰＵＳＣＨを含み、ダウンリンク情報が基準信号、例えばセル基準信号（ＣＲＳ：Ｃｅｌｌ  Ｒｅｆｅｒｅｎｃｅ  Ｓｉｇｎａｌ）又はチャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を含む場合、該端末装置により送信されたアップリンク情報は、端末装置が基準信号対する測定結果、例えばチャネル状態情報（ＣＳＩ  Ｃｈａｎｎｅｌ  Ｓｔａｔｅ  Ｉｎｆｏｒｍａｔｉｏｎ）を含むことができるが、本発明の実施例はこれに限定しない。
【００７７】
選択可能なものとして、他の１つの選択的な実施例として、端末装置が該少なくとも１つの先行時間リソースセットでネットワークデバイスにより送信されたいかなるダウンリンク情報を受信しなく、又はアップリンク情報を送信する必要がであるいかなるダウンリンク情報を受信しない場合、該端末装置は、該現在時間リソースセットでネットワークデバイスにアップリンク情報を送信しなくてもよいが、本発明の実施例はこれに限定しない。
【００７８】
本発明の実施例において、該端末装置は、多種の方式で該第１時間リソースを確定することができる。選択可能なものとして、該第１時間リソースは、予め設定された規則に従って確定したのもであり、該予め設定された規則は、プロトコルによって規定され、該端末装置に予め設定されたものであってもよいし、ネットワークデバイスによって予め構成されたものであってもよい。例えば、該第１時間リソースは、該現在時間リソースセット内のＭ番目の時間リソース単位であってもよく、該時間リソース単位は、サブフレーム又は符号又は他の単位であってもよい。選択可能なものとして、該ネットワークデバイスは、該現在時間リソースセットで該第１情報を送信し、該端末装置は、上記の第１情報及び該第１情報を送信するための時間リソースと該第１時間リソースとの間の所定間隔に従って、該第１時間リソースを確定してもよく、例えば、該第１時間リソースは該第１情報を送信するための時間リソースと隣接し、又は、所定数の時間リソースを隔て、本発明の実施例はこれに限定しない。
【００７９】
選択可能なものとして、他の１つの実施例として、該端末装置は該ネットワークデバイスにより送信された第４情報を受信してもよく、該第４情報は、該第１時間リソースがアップリンク情報の伝送に用いられることを指示し、しかも第４情報に従って、該第１時間リソースを確定し、ここで、該第４情報は、該ネットワークデバイスにより該現在時間リソースセットで送信されたものであってもよいし、該ネットワークデバイスにより該少なくとも１つの先行時間リソースセットで送信されたものであってもよく、本発明の実施例はこれに限定しない。該第４情報は、該第１時間リソースを明示又は暗黙的に示すことができ、例えば、該第４情報は、該第１時間リソースのリソース番号情報を含むことができ、例えば、該第１時間リソースは、具体的に、第１サブフレームであってもよく、該第４情報は、該第１サブフレームの時間リソース番号情報を含むが、本発明の実施例はこれに限定しない。
【００８０】
本発明の実施例において、該端末装置は、多種の方式で該第１時間リソースと該少なくとも１つの先行時間リソースセットとの対応関係を確定することができる。選択可能なものとして、該端末装置は、予め設定された規則に従って、該対応関係を確定することができる。例えば、該少なくとも１つの先行時間リソースセットと該現在時間リソースセットとの対応関係は、予め約定又は規定されてものであり、例えば、該少なくとも１つの先行時間リソースセットは現在時間リソースセットの前からの１つの以上の時間リソースセットであり、それに対応し、該端末装置は、該現在時間リソースセットと該少なくとも１つの先行時間リソースセットとの間の対応関係、及び該現在時間リソースセットにアップリンク情報を伝送するための第１時間リソースに従って、該第１時間リソースと該少なくとも１つの先行時間リソースセットとの間の対応関係を確定することができる。また、例えば、該現在時間リソースセット内の時間リソースと先行時間リソースセットとの間の対応関係は、予め約定又は規定されたのもであり、例えば、該現在時間リソースセット内のＬ番目の時間リソース単位と該現在時間リソースセットの前からのＰ番目の時間リソースセットとの間に対応関係を有するが、本発明の実施例はこれに限定しない。
【００８１】
選択可能なものとして、他の１つの実施例として、該端末装置は、該ネットワークデバイスにより該現在時間リソースセットで送信された第２情報を受信し、又は該ネットワークデバイスにより該少なくとも１つの先行時間リソースセットで送信された第３情報を受信することができる。それに対応し、該端末装置は、該第２情報又は第３情報に従って、該第１時間リソース及び／又は該現在時間リソースセットと該少なくとも１つの先行時間リソースセットとの間の対応関係を確定することができる。選択可能なものとして、該第２情報は、該少なくとも１つの先行時間リソースセットの各先行時間リソースセットのセット番号情報及び／又は該少なくとも１つの先行時間リソースセットの各先行時間リソースセットの先頭の時間リソースの所在するシステムフレームの番号情報（例えば１番目のサブフレームのＳＦＮ情報）を含むことができる。該端末装置により該第１時間リソースで送信されたアップリンク情報は、該少なくとも１つの先行時間リソースセットの各先行時間リソースセットの一部又は全部のダウンリンク情報に対応しても良い。選択可能なものとして、該第２情報は、さらに、該少なくとも１つの先行時間リソースセットの少なくとも１つのターゲット時間リソース単位の時間リソース番号情報を含み、ここで、該ターゲット時間リソース単位は、具体的に、ターゲットサブフレーム又は他の時間リソース単位であってもよく、この時、該第１時間リソースで送信されたアップリンク情報は、少なくとも１つのターゲット時間リソース単位でのダウンリンク情報に対応するが、本発明の実施例はこれに限定しない。
【００８２】
以下、時間リソースセットが具体的にサブフレームセットであり、時間リソース単位が具体的にサブフレームであることを例として説明する。仮に、現在時間リソースセットは具体的にサブフレームセットｎであり、少なくとも１つの先行時間リソースセットはサブフレームセットｎ−１及びサブフレームセットｎ−２を含む。該第１時間リソースはサブフレームａ及びサブフレームｂを含み、ここで、サブフレームａはサブフレームセットｎ−２に対応し、サブフレームｂはサブフレームセットｎ−１に対応し、サブフレームセットｎ−２のうちの１番目のサブフレームのＳＦＮが・・・０１であり、サブフレームセットｎ−１のうちの１番目のサブフレームのＳＦＮが・・・１０である。図３に示すように、該第２情報は、サブフレームａがＳＦＮ番号・・・０１に対応し、サブフレームｂがＳＦＮ番号・・・１０に対応することを示すことができ、即ち、サブフレームａは、ＳＦＮ番号・・・０１のサブフレームセットに対応するアップリンク情報の伝送に用いられ、サブフレームｂは、ＳＦＮ番号・・・１０のサブフレームセットに対応するアップリンク情報の伝送に用いられる。ここで、サブフレームのＳＦＮの値の範囲は、０~１０２３であり、それに対応し、ＳＦＮは、１０ビットによって示すことができる。
【００８３】
選択可能なものとして、シグナリングオーバーヘッドを低減させるために、該ネットワークデバイスは、Ｍビットを使用し、ある先行時間リソースセット内の１番目のサブフレームのＳＦＮを第２情報に示すことができ、Ｍが２以上の整数である。例えば、該第２情報にＳＦＮの最後のＭつのビット又は他の位置にあるＭつのビットが含まれるが、本発明の実施例はこれに限定しない。
【００８４】
図４に示すように、該第２情報は２ビットを使用して先行時間リソースセットのセット番号を示す。具体的に、サブフレームセットｎ−２のセット番号が１０、サブフレームセットｎ−１のセット番号が１１である場合、該第２情報は、サブフレームａがセット番号１０に対応し、サブフレームｂがセット番号１１に対応することを示すことができる。
【００８５】
第２情報に該少なくとも１つの先行時間リソースセット内の具体的な時間リソースを示さない場合、該端末装置は、該第１時間リソースで、該少なくとも１つの先行時間リソースセットの各先行時間リソースセットのすべての時間リソース又はすべてのダウンリンク時間リソース又はダウンリンク情報が受信されたすべてのダウンリンク時間リソースに対応するアップリンク情報を送信することを黙従する。選択可能なものとして、該第２情報は、さらに、ある先行時間リソースセットの該第１時間リソースに対応する時間リソースの時間リソース番号情報を含むことができる。例えば、該第２情報は、さらに、先行時間リソースセットの該第１時間リソースに対応する少なくとも１つのターゲットサブフレームのサブフレーム番号情報を含み、ここで、サブフレーム番号の値は０〜９である。選択可能なものとして、該第２情報に、第１時間リソースに対応するサブフレームのサブフレーム番号を示すための４つのビットが含まれ、又は、無線フレーム中の１０つのサブフレームを予めＬつのグループに分け、ここで、２≦Ｌ＜９、さらに、第２情報に
【数９】
2019510385.tif 000011
【００８６】
ビットを使用して、該第１時間リソースに対応するサブフレームが属するグループ番号を示す。
【００８７】
図５に示すように、サブフレームａがサブフレームセットｎ−２のサブフレーム４に対応し、サブフレームｂがサブフレームセットｎ−１のサブフレーム２に対応する場合、第２情報は、具体的に、サブフレームａがＳＦＮ番号情報が０１であり且つサブフレーム番号が４であるサブフレームに対応し、サブフレームｂがＳＦＮ番号情報１０且つサブフレーム番号が２であるサブフレームに対応することを示すが、本発明の実施例はこれに限定しない。
【００８８】
理解すべきものとして、図３〜図５の例は、当業者にとって本発明の実施例を分かりやすくためのものであり、本発明の実施例を限定するものではない。当業者は、記載された図３〜図５の例に応じて、修正又は変更を行うことができ、これらの修正又は変更も本発明の実施例の範囲に含まれる。
【００８９】
他の１つの選択的な実施例として、該第２情報は、さらに、該少なくとも１つの先行時間リソースセット内のサブフレームの数及び／又はダウンリンクサブフレームの数を示すが、本発明の実施例はこれに限定しない。
【００９０】
他の１つの選択的な実施例として、該端末装置は、第３情報に従って、該第１時間リソースと該少なくとも１つの先行時間リソースセットとの対応関係を確定しても良い。選択可能なものとして、該第３情報は、該現在時間リソースセット、又は、該現在時間リソースセット内の第１時間リソースを示すために用いられる。例えば、該第３情報は、該現在時間リソースセットのセット番号情報を含み、又は、さらに、該第１時間リソースの該現在時間リソースセットの所在位置を含むことができる。１つの具体的な例として、該ネットワークデバイスは、競争して得られた時間リソースセットＬで端末装置にＤＣＩを送信し、該ＤＣＩは、該端末装置のＰＵＳＣＨをスケジューリングし、競争して得られた時間リソースセットＬ＋Ｍで該ＰＵＳＣＨを伝送することに用いられ、Ｍが１以上の整数であるが、本発明の実施例はこれに限定しない。
【００９１】
理解すべきものとして、上記の第１情報、第２情報、第３情報及び第４情報は、異なるメッセージに含まれ、又は、一部の情報が同一のメッセージに含まれることができる。例えば、第１情報又は第４情報は、第２情報と一緒に同一のメッセージに含まれ、又は、第１情報と第３情報は同一のメッセージに含まれ、本発明の実施例はこれに限定しない。
【００９２】
そして、本発明の実施例におけるアンライセンス搬送波でアップリンク情報を伝送するための方法によって、ネットワークデバイスによりアンライセンス搬送波での伝送リソースを競争し、しかも端末装置は、該ネットワークデバイスにより競争して得られたアンライセンス搬送波の現在時間リソースセットでアップリンク情報を伝送し、該アップリンク情報は、ネットワークデバイスにより少なくとも１つの先行時間リソースセットで伝送されたダウンリンク情報に対応し、端末装置は、該アンライセンス搬送波での伝送リソースを競争する必要がない。
【００９３】
なお、該ネットワークデバイスは、すべての端末装置がアップリンクダウンリンクサブフレーム対応関係又はＨＡＲＱ対応関係を採用するように構成され、各端末装置に基づいて、それらのダウンリンクサブフレーム対応関係をそれぞれ確定する必要がなく、該ネットワークデバイスの複雑度を低減させ、システム性能を向上させることができる。
【００９４】
本発明の実施例において、該端末装置は、第１時間リソースでアップリンク情報を送信することができ、ここで、選択可能なものとして、該第１時間リソースは、１つの以上の時間リソース単位、例えば１つの以上のサブフレームに対応しても良く、該アップリンク情報は、１つの先行時間リソースセットにおけるダウンリンク情報に対応してよいし、複数の先行時間リソースセットの各先行時間リソースセットにおけるダウンリンク情報に対応してもよく、しかも、具体的に、各先行時間リソースセットの１つの以上の時間リソース単位におけるダウンリンク情報に対応しても良い。つまり、本発明の実施例において、該端末装置は、１つの時間リソース単位で１つの以上の他の時間リソース単位のダウンリンク情報に対応するアップリンク情報を送信し、例えば、１つのサブフレームで１つの以上の他のサブフレームのＰＤＳＣＨに対応するＡＣＫ／ＮＡＣＫをフィードバックするが、本発明の実施例はこれに限定しない。
【００９５】
選択可能なものとして、端末装置は、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）又はＰＵＳＣＨでフィードバック情報を伝送しても良く、該フィードバック情報は、具体的に、ＡＣＫ／ＮＡＣＫであっても良い。該端末装置はＰＵＣＣＨでＡＣＫ／ＮＡＣＫを伝送する場合、選択可能なものとして、該端末装置は、ＰＵＣＣＨフォーマット３、ＰＵＣＣＨフォーマット４、ＰＵＣＣＨフォーマット５、又は他のフォーマットを使用してＡＣＫ／ＮＡＣＫを伝送してもよいが、本発明の実施例はこれに限定しない。
【００９６】
該端末装置は、該第１時間リソースでＮビットのＡＣＫ／ＮＡＣＫを伝送してもよく、Ｎは、該少なくとも１つの先行時間リソースセットに含まれるすべての時間リソース単位の数又はすべてのダウンリンク時間リソース単位の数であってもよく、この時、該端末装置は、ＰＤＳＣＨを受信しない時間リソース単位に対して０又は１でパディングし、又は、Ｎは該少なくとも１つの先行時間リソースセットで該端末装置により受信された、該ネットワークデバイスにより送信されたＰＤＳＣＨの時間リソース単位の数であってもよく、又は、該ネットワークデバイスにより配置された数であっても良いが、本発明の実施例はこれに限定しない。
【００９７】
１つの選択的な実施例として、Ｎは以下の式で確定され、
【数１０】
2019510385.tif 000012
【００９８】
ここで、Ｋは該少なくとも１つの先行時間リソースセットの数を示し、Ｃは各ＰＤＳＣＨに対応するＡＣＫ／ＮＡＣＫの最大ビット数を示し、
【数１１】
2019510385.tif 000013
【００９９】
は該少なくとも１つの先行時間リソースセット内のｉ番目の先行時間リソースセットに含まれる時間リソース単位の数に等しく、又は、ｉ番目の先行時間リソースセットに含まれるダウンリンク時間リソース単位の数に等しく、又は、該ネットワークデバイスによりｉ番目の先行時間リソースセットに配置されたパラメータ値に等しく、該パラメータ値は該ｉ番目の先行時間リソースセットに含まれる時間リソース単位の数の以下である。
【０１００】
他の１つの選択的な実施例として、Ｎは以下の式で確定され、
【数１２】
2019510385.tif 000014
【０１０１】
【数１３】
2019510385.tif 000015
【０１０２】
は該ネットワークデバイスにより該少なくとも１つの先行時間リソースセットのｉ番目の先行時間リソースセットに配置されたパラメータ値に等しく、該パラメータ値は０以上の整数である。
【０１０３】
本発明の実施例において、複数の端末装置が同じアップリンクダウンリンクサブフレーム対応関係（ＨＡＲＱタイミング関係とも呼ばれる）に対応する場合、少なくとも２つの端末装置が該アンライセンス搬送波の同じ時間リソースで該ネットワークデバイスにアップリンク情報を送信する可能性があり、この時、該少なくとも２つの端末装置は、該同じ時間リソースの異なるリソース（例えば周波数リソース、コードリソース等）を使用してアップリンク情報の伝送を行うことができる。選択可能なものとして、異なる端末装置に対応するリソースは、予め定義されてもよいし、該ネットワークデバイスにより配置されてもよく、本発明の実施例はこれに限定しない。
【０１０４】
他の１つの選択的な実施例として、該方法２００は、さらに、
該ネットワークデバイスは第５情報を送信することを含み、該第５情報は、端末装置の該第１時間リソースの対応するリソース番号情報を示すために用いられる。
【０１０５】
該第５指示情報は、ユニキャスト、マルチキャスト又はブロードキャストによって送信されても良い。例えば、該ネットワークデバイスは該第５情報をブロードキャストしても良く、該第５情報は、複数の端末装置のうちの各端末装置の該第１時間リソースの対応するリソース番号情報を示すために用いられる。この時、端末装置は、第１時間リソースで該第５情報が示す伝送リソースを使用して該ネットワークデバイスにアップリンク情報を送信しても良い。
【０１０６】
理解すべきものとして、上記の実施例は、アップリンク情報にＡＣＫ／ＮＡＣＫ及び／又はＰＵＳＣＨが含まれることを例として説明しており、選択可能なものとして、該アップリンク情報は、さらに、スケジューリング要求（Ｓｃｈｅｄｕｌｉｎｇ  Ｒｅｑｕｅｓｔ）及び／又はＣＳＩを含むことができるが、本発明の実施例はこれに限定しない。
【０１０７】
また、理解すべきものとして、上記の各過程の番号は、実行の順番を意味しなく、各過程の実行の順番は、その機能及び内部ロジックによって確定されるが、本発明の実施例の実施過程を限定しない。
【０１０８】
以上、図１〜図５を結合し、本発明の実施例におけるアンライセンス搬送波でアップリンク情報を伝送するための方法を詳しく説明しており、以下、図６〜図９を結合し、本発明の実施例におけるアンライセンス搬送波でアップリンク情報を伝送するための装置を詳しく説明する。
【０１０９】
図６は本発明の実施例におけるアンライセンス搬送波でアップリンク情報を伝送するための装置３００を示す。該装置３００は、確定ユニット３１０及び送信ユニット３２０を含む。
【０１１０】
確定ユニット３１０は、ネットワークデバイスが該アンライセンス搬送波でデータ伝送を行うための現在時間リソースセットを確定するように構成され、ここで、該ネットワークデバイスは、競争して得られた時間リソースセットを使用して該アンライセンス搬送波でデータ伝送を行い、競争して得られた各時間リソースセットに含まれる時間リソースが連続に分布され、異なる時間リソースセット内の時間リソースが間隔をあけて分布される。
【０１１１】
送信ユニット３２０は、該確定ユニット３１０により確定された該現在時間リソースセット内の第１時間リソースで該ネットワークデバイスにアップリンク情報を送信するように構成され、該アップリンク情報は、該ネットワークデバイスにより少なくとも１つの先行時間リソースセットで伝送されたダウンリンク情報に対応する。
【０１１２】
具体的に、該ネットワークデバイスにより競争して得られた時間リソースセットは、該現在時間リソースセットと該少なくとも１つの先行時間リソースセットを含み、該少なくとも１つの先行時間リソースセット内の任意の時間リソースが該現在時間リソースセットの任意の時間リソースの前に位置する。
【０１１３】
選択可能なものとして、該ダウンリンク情報はＤＣＩを含み、該アップリンク情報はＰＵＳＣＨを含む。
【０１１４】
選択可能なものとして、他の１つの実施例として、該ダウンリンク情報はＰＤＳＣＨを含み、該アップリンク情報はＡＣＫ／ＮＡＣＫを含む。
【０１１５】
他の１つの選択的な実施例として、該装置３００は、さらに、第１受信ユニットを含み、前記第１受信ユニットは、該ネットワークデバイスにより送信された第１情報を受信するように構成される。
【０１１６】
それに対応し、該確定ユニット３１０は、具体的に、該第１受信ユニットにより受信された該第１情報に従って、該ネットワークデバイスにより競争して得られた現在時間リソースセットのセット番号を確定するように構成される。
【０１１７】
１つの選択的な実施例として、該第１情報は、該現在時間リソースセットの先頭の時間リソースが所在するシステムフレーム番号情報を含み、又は、該第１情報は、該現在時間リソースセットのセット番号情報を含む。
【０１１８】
１つの選択的な実施例として、該装置３００は、さらに、第２受信ユニットを含み、第２受信ユニットは、該送信ユニット３２０が該確定ユニット３１０により確定された該現在時間リソースセット内の第１時間リソースで該ネットワークデバイスにアップリンク情報送信する前に、該ネットワークデバイスにより該現在時間リソースセットで送信された第２情報を受信するように構成され、該第２情報は、該第１時間リソース又は現在時間リソースセットが、該ネットワークデバイスにより該少なくとも１つの先行時間リソースセットで伝送されたダウンリンク情報に対応するアップリンク情報の伝送に用いられる。
【０１１９】
他の１つの選択的な実施例として、該装置３００は、さらに、第２受信ユニットを含み、第２受信ユニットは、該送信ユニット３２０が該確定ユニット３１０により確定された該現在時間リソースセット内の第１時間リソースで該ネットワークデバイスにアップリンク情報を送信する前に、該ネットワークデバイスにより該少なくとも１つの先行時間リソースセットで送信された第３情報を受信するように構成され、該第３情報は、該ネットワークデバイスにより該少なくとも１つの先行時間リソースセットで伝送されたダウンリンク情報に対応するアップリンク情報が、該現在時間リソースセット又は第１時間リソースで送信されることを指示する。
【０１２０】
他の１つの選択的な実施例として、該確定ユニット３１０は、さらに、該送信ユニット３２０が該確定ユニットにより確定された該現在時間リソースセット内の第１時間リソースで該ネットワークデバイスにアップリンク情報を送信する前に、予め設定された規則に従って、該現在時間リソースセット又は第１時間リソースが該ネットワークデバイスにより該少なくとも１つの先行時間リソースセットで伝送されたダウンリンク情報に対応するアップリンク情報の伝送に用いられることを確定するように構成される。
【０１２１】
１つの選択的な実施例として、該第３情報は該現在時間リソースセットのセット番号情報を含む。
【０１２２】
１つの選択的な実施例として、該第２情報は、該少なくとも１つの先行時間リソースセットの各先行時間リソースセットのセット番号情報を含む。
【０１２３】
他の１つの選択的な実施例として、該第２情報はさらに該少なくとも１つの先行時間リソースセットのうちの少なくとも１つのターゲット時間リソース単位の時間リソース番号情報を含み、ここで、該第１時間リソースは、該ネットワークデバイスにより該少なくとも１つのターゲット時間リソース単位で伝送されたダウンリンク情報に対応するアップリンク情報の伝送に用いられる。
【０１２４】
他の１つの選択的な実施例として、該確定ユニット３１０は、さらに、該送信ユニット３２０が該現在時間リソースセット内の第１時間リソースで該ネットワークデバイスにアップリンク情報を送信する前に、予め設定された規則に従って、該現在時間リソースセット内の該第１時間リソースを確定するように構成される。
【０１２５】
他の１つの選択的な実施例として、該装置３００は、さらに、第３受信ユニットを含み、第３受信ユニットは、該送信ユニット３２０が該現在時間リソースセット内の第１時間リソースで該ネットワークデバイスにアップリンク情報を送信する前に、該ネットワークデバイスにより該現在時間リソースセットで送信された第４情報を受信するように構成され、該第４情報は、該第１時間リソースを示すために用いられる。
【０１２６】
他の１つの選択的な実施例として、該ダウンリンク情報はＰＤＳＣＨを含み、該アップリンク情報はＡＣＫ／ＮＡＣＫを含む。この時、該送信ユニット３２０は、具体的に、該第１時間リソースのＰＵＣＣＨ又はＰＵＳＣＨで該ネットワークデバイスにＮビットのＡＣＫ／ＮＡＣＫを送信するように構成され、該ＮビットのＡＣＫ／ＮＡＣＫは、該端末装置が、該ネットワークデバイスにより該少なくとも１つの先行時間リソースセットで該端末装置に送信されたＰＤＳＣＨを成功に受信したかどうかを指示するために用いられる。
【０１２７】
理解すべきものとして、ここの装置３００は、機能ユニットによって体現される。ここの単語「ユニット」は、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、１つの以上のソフトウェア又はファームウェアプログラムを実行するためのプロセッサ（例えば共有プロセッサ、専用プロセッサ又はグループプロセッサ等）及びメモリー、マージ論理回路及び／又は他の上記機能をサポートする適当な部品であっても良い。１つの選択可能な例において、当業者は、装置３００が上記の実施例の端末装置であり、装置３００は上記の方法実施例における端末装置に対応する各フローチャート及び／又はステップを実行することが理解され、重複を回避するために、ここで省略する。
【０１２８】
図７は本発明の実施例におけるアンライセンス搬送波でアップリンク情報を伝送するための装置４００を示し、該装置４００は、確定ユニット４１０及び受信ユニット４２０を含む。
【０１２９】
確定ユニット４１０は、該アンライセンス搬送波でデータ伝送を行うための現在時間リソースセットを確定するように構成され、ここで、該ネットワークデバイスは、競争して得られた時間リソースセットを使用して該アンライセンス搬送波でデータ伝送を行い、競争して得られた各時間リソースセットに含まれる時間リソースが連続に分布され、しかも異なる時間リソースセット内の時間リソースが間隔をあけて分布され、
受信ユニット４２０は、該確定ユニット４１０により確定された該現在時間リソースセット内の第１時間リソースで送信されたアップリンク情報を受信するように構成され、該アップリンク情報は、該ネットワークデバイスにより少なくとも１つの先行時間リソースセットで伝送されたダウンリンク情報に対応する。
【０１３０】
具体的に、該ネットワークデバイスにより競争して得られた時間リソースセットは、該現在時間リソースセットと該少なくとも１つの先行時間リソースセットを含み、しかも該少なくとも１つの先行時間リソースセット内の任意の時間リソースが該現在時間リソースセット内の任意の時間リソースの前に位置する。
【０１３１】
１つの選択的な実施例として、該ダウンリンク情報はＤＣＩを含み、該アップリンク情報はＰＵＳＣＨを含む。
【０１３２】
他の１つの選択的な実施例として、該ダウンリンク情報はＰＤＳＣＨを含み、該アップリンク情報はＡＣＫ／ＮＡＣＫを含む。
【０１３３】
他の１つの選択的な実施例として、該装置４００は、さらに、第１送信ユニットを含む。
【０１３４】
第１送信ユニットは、該受信ユニット４２０が端末装置により該現在時間リソースセット内の第１時間リソースで送信されたアップリンク情報を受信する前に、第１情報を送信するように構成され、該第１情報は、該現在時間リソースセットのセット番号を示すために用いられる。
【０１３５】
１つの選択的な実施例として、該第１情報は、該現在時間リソースセットの先頭の時間リソースが所在するシステムフレーム番号情報を含み、又は、該第１情報は、該現在時間リソースセットのセット番号情報を含む。
【０１３６】
他の１つの選択的な実施例として、該装置４００は、さらに、第２送信ユニットを含み、第２送信ユニットは、該受信ユニット４２０が端末装置により該現在時間リソースセット内の第１時間リソースで送信されたアップリンク情報を受信する前に、該現在時間リソースセットで第２情報を送信するように構成され、該第２情報は、該第１時間リソース又は現在時間リソースセットが、該ネットワークデバイスにより該少なくとも１つの先行時間リソースセットで伝送されたダウンリンク情報に対応するアップリンク情報の伝送に用いられることを指示する。
【０１３７】
他の１つの選択的な実施例として、該装置４００は、さらに、第２送信ユニットを含み、第２送信ユニットは、該送信ユニットが該現在時間リソースセット内の第１時間リソースで該ネットワークデバイスにアップリンク情報を送信する前に、該先行時間リソースセットで第３情報を送信するように構成され、該第３情報は、該ネットワークデバイスにより該少なくとも１つの先行時間リソースセットで伝送されたダウンリンク情報に対応するアップリンク情報が、該現在時間リソースセット又は第１時間リソースで送信されることを指示する。
【０１３８】
他の１つの選択的な実施例として、該確定ユニット４１０は、さらに、予め設定された規則に従って、該現在時間リソースセット又は第１時間リソースが該少なくとも１つの先行時間リソースセットで伝送されたダウンリンク情報に対応するアップリンク情報の伝送に用いられるこを確定するように構成される。
【０１３９】
１つの選択的な実施例として、該第３情報は該現在時間リソースセットのセット番号情報を含む。
【０１４０】
１つの選択的な実施例として、該第２情報は、該少なくとも１つの先行時間リソースセットのうちの各先行時間リソースセットのセット番号情報を含む。
【０１４１】
他の１つの選択的な実施例として、該第２情報はさらに該少なくとも１つの先行時間リソースセットのうちの少なくとも１つのターゲット時間リソース単位の時間リソース番号情報を含み、ここで、該第１時間リソースは、該ネットワークデバイスにより該少なくとも１つのターゲット時間リソース単位で伝送されたダウンリンク情報に対応するアップリンク情報の伝送に用いられる。
【０１４２】
他の１つの選択的な実施例として、該装置４００は、さらに、第３送信ユニットを含み、第３送信ユニットは、該受信ユニット４２０が端末装置により該現在時間リソースセット内の第１時間リソースで送信されたアップリンク情報を受信する前に、該現在時間リソースセットで第４情報を送信するように構成され、該第４情報は、該第１時間リソースを示すために用いられる。
【０１４３】
他の１つの選択的な実施例として、該ダウンリンク情報はＰＤＳＣＨを含み、該アップリンク情報はＡＣＫ／ＮＡＣＫを含む。この時、該受信ユニット４２０は、具体的に、端末装置が該第１時間リソースでＰＵＣＣＨ又はＰＵＳＣＨによって伝送されたＮビットのＡＣＫ／ＮＡＣＫを受信するように構成され、該ＮビットのＡＣＫ／ＮＡＣＫは、該端末装置が該ネットワークデバイスにより該少なくとも１つの先行時間リソースセットで該端末装置に送信されたＰＤＳＣＨを成功に受信したかどうかを指示するために用いられる。
【０１４４】
理解すべきものとして、ここの装置４００は、機能ユニットによって体現される。ここの単語「ユニット」は、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、１つの以上のソフトウェア又はファームウェアプログラムを実行するためのプロセッサ（例えば共有プロセッサ、専用プロセッサ又はグループプロセッサ等）及びメモリー、マージ論理回路及び／又は他の上記機能をサポートする適当な部品であっても良い。１つの選択可能な例において、当業者は、装置３００が上記の実施例の端末装置であり、装置４００は上記の方法実施例における端末装置に対応する各フローチャート及び／又はステップを実行することが理解され、重複を回避するために、ここで省略する。
【０１４５】
図８は本発明の実施例におけるアンライセンス搬送波でアップリンク情報を伝送するための装置５００を示し、該装置５００は、プロセッサ５１０及び送受信機５２０を含む。
【０１４６】
プロセッサ５１０は、ネットワークデバイスが該アンライセンス搬送波でデータ伝送を行うための現在時間リソースセットを確定するように構成され、ここで、該ネットワークデバイスは競争して得られた時間リソースセットを使用して該アンライセンス搬送波でデータ伝送を行い、競争して得られた各時間リソースセットに含まれる時間リソースが連続に分布され、しかも異なる時間リソースセット内の時間リソースが間隔をあけて分布される。
【０１４７】
送受信機５２０は、該プロセッサ５１０により確定された該現在時間リソースセット内の第１時間リソースで該ネットワークデバイスにアップリンク情報を送信するように構成され、該アップリンク情報は、該ネットワークデバイスにより少なくとも１つの先行時間リソースセットで伝送されたダウンリンク情報に対応する。
【０１４８】
具体的に、該ネットワークデバイスにより競争して得られた時間リソースセットは、該現在時間リソースセットと該少なくとも１つの先行時間リソースセットを含み、該少なくとも１つの先行時間リソースセット内の任意の時間リソースが該現在時間リソースセットの任意の時間リソースの前に位置する。
【０１４９】
理解すべきものとして、装置５００は上記の実施例における端末装置であって、上記の方法実施例における端末装置に対応する各ステップ及び／又はフローチャートを実行する。選択可能なものとして、装置５００はさらにメモリーを含み、該メモリーは読み取り専用メモリー及びランダムアクセスメモリーを含み、プロセッサに命令及びデータを提供する。メモリーの一部として、不揮発性ランダムアクセスメモリーを含む。例えば、メモリーは、デバイスタイプの情報をさらに記憶する。プロセッサは、メモリーに記憶される命令を実行し、該プロセッサがメモリーに記憶された命令を実行する場合、該プロセッサは、上記の方法実施例における各ステップ及び／又はフローチャートを実行する。選択可能なものとして、該装置５００はさらにバスを含み、該プロセッサ、送受信機及びメモリーはバスを介して接続する。
【０１５０】
図９は本発明の実施例におけるアンライセンス搬送波でアップリンク情報を伝送するための装置６００を示し、該装置６００は、プロセッサ６１０及び送受信機６２０を含む。
【０１５１】
プロセッサ６１０は、該アンライセンス搬送波でデータ伝送を行うための現在時間リソースセットを確定するように構成され、ここで、該ネットワークデバイスは、競争して得られた時間リソースセットを使用して該アンライセンス搬送波でデータ伝送を行い、競争して得られた各時間リソースセットに含まれる時間リソースが連続に分布され、しかも異なる時間リソースセット内の時間リソースが間隔をあけて分布され、
送受信機６２０は、端末装置が該プロセッサ６１０により確定された該現在時間リソースセット内の第１時間リソースで送信されたアップリンク情報を受信するように構成され、該アップリンク情報は、該ネットワークデバイスにより少なくとも１つの先行時間リソースセットで伝送されたダウンリンク情報に対応する。
【０１５２】
具体的に、該ネットワークデバイスにより競争して得られた時間リソースセットは、現在時間リソースセットと該少なくとも１つの先行時間リソースセットを含み、しかも該少なくとも１つの先行時間リソースセット内の任意の時間リソースが該現在時間リソースセット内の任意の時間リソースの前に位置する。
【０１５３】
理解すべきものとして、装置６００は上記の実施例における端末装置であって、上記の方法実施例における端末装置に対応する各ステップ及び／又はフローチャートを実行する。選択可能なものとして、装置６００はさらにメモリーを含み、該メモリーは読み取り専用メモリー及びランダムアクセスメモリーを含み、プロセッサに命令及びデータを提供する。メモリーの一部は不揮発性ランダムアクセスメモリーを含む。例えば、メモリーは、デバイスタイプの情報をさらに記憶する。プロセッサは、メモリーに記憶される命令を実行し、該プロセッサがメモリーに記憶された命令を実行する場合、該プロセッサは、上記の方法実施例における各ステップ及び／又はフローチャートを実行する。選択可能なものとして、該装置６００はさらにバスを含み、該プロセッサ、送受信機及びメモリーはバスを介して接続する。
【０１５４】
理解すべきものとして、本発明の実施例において、該プロセッサは、中央処理ユニット（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェア部材であってもよい。汎用プロセッサはマイクロプロセッサであってもよい又は該プロセッサはいずれかの従来のプロセッサなどであってもよい。
【０１５５】
実現の過程において、上記の方法のステップは、プロセッサにおけるハードウェアの集積ロジック回路又はソフトウェアモジュール形態の命令よって実現することができる。本発明の実施例に開示された方法のステップはハードウェアプロセッサによって実行されて完了され、又は復号プロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完了する。重複を回避するために、ここで省略する。
【０１５６】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。ハードウェアとソフトウェアとの互換性を明確に説明するために、以上、機能に従って各実施例のステップ及び構成を説明する。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【０１５７】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１５８】
本出願が提供するいくつかの実施例では、開示されたシステム、装置および方法は他の方式により実現されてもよいと理解すべきである。上述した装置の実施例は例示的なものだけであり、例えば、前記ユニットの区分はロジック機能的区分だけであり、実際に実施する時に他の区分方式もあり得て、例えば複数のユニットまたは部材は組み合わせられてもよいまたは別のシステムに統合されてもよく、又はいくつかの特徴は無視されてもよく、又は実行されなくてもよい。また、示されるまたは議論される相互結合又は直接結合又は通信接続はいくつかのインターフェース、装置又はユニットを介する間接的結合又は通信接続であってもよく、電気的、機械的又は他の形態であってもよい。
【０１５９】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、すなわち一つの箇所に位置してもよく、又は複数のネットワークユニットに分布してもよい。実際のニーズに応じてその中の一部または全てのユニットを選択して本実施例の解決策の目的を達成することができる。
【０１６０】
また、本発明の各実施例における各機能ユニットは一つの処理ユニットに統合されてもよく、個々のユニットは単独で物理的に存在してもよく、二つまたは二つ以上のユニットは一つのユニットに統合されてもよい。
【０１６１】
前記ユニットはソフトウェア機能ユニットの形態で実現され且つ独立した製品として販売または使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶する。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１６２】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【図１】
2019510385.tif 000032
【図２】
2019510385.tif 000033
【図３】
2019510385.tif 000034
【図４】
2019510385.tif 000035
【図５】
2019510385.tif 000036
【図６】
2019510385.tif 000037
【図７】
2019510385.tif 000038
【図８】
2019510385.tif 000039
【図９】
2019510385.tif 000040
【手続補正書】
【提出日】平成30年8月7日(2018.8.7)
【手続補正１】
【補正対象書類名】明細書
【補正対象項目名】全文
【補正方法】変更
【補正の内容】
【発明の詳細な説明】
【技術分野】
【０００１】
本発明の実施例は、通信分野に関し、具体的に、アンライセンス搬送波でアップリンク情報を伝送するための方法及び装置に関する。
【背景技術】
【０００２】
現在、無線セルラーシステムにおいてアンライセンス（Ｕｎｌｉｃｅｎｓｅｄ）周波数帯（例えば２．４ＧＨｚ、５．８ＧＨｚ）を使用してセルラーシステムの使用周波数を拡張することが考案し始まっており、その主要な手段はライセンス支援アクセス（ＬＡＡ：Ｌｉｃｅｓｅ  Ａｓｓｉｓｔｅｄ  Ａｃｃｅｓｓ）技術を含む。ＬＡＡの主な特徴は、アンライセンス周波数帯とライセンス周波数帯をアグリゲートして使用し、アンライセンス周波数帯を補助搬送波として使用し、アンライセンス周波数帯の使用が基地局のスケジューリングだけでなく、該周波数帯の負荷に制限されており、即ち、使用できるために競争メカニズムを通過する必要があることを含む。送信側のデバイスは、アンライセンス搬送波でデータを伝送する前に、該アンライセンス搬送波に対して話す前に聞く（ＬＢＴ：Ｌｉｓｔｅｎ  Ｂｅｆｏｒｅ  Ｔａｌｋ）検定を行う必要があり、さらに、チャネルがアイドル状態にあることを確定してから該アンライセンス搬送波でデータを伝送するしかできない。なお、送信側のデバイスが毎回にアンライセンス搬送波の伝送チャネルを占用する時間は、最大占用時間を超えないようにする必要がある。そのため、送信側のデバイスは、チャネルを一定時間に占用してから、チャネルをリリースする必要があり、しかもチャネルを再度に使用する時にチャネルリソースを再度に競争する必要がある。
【０００３】
現在、アンライセンス周波数帯でアップリンク情報を伝送するための技術案がまだ存在しない。端末装置はアンライセンス搬送波でアップリンク情報を送信する前にＬＢＴを実行する場合、異なる端末装置のセル内の位置が相異するため、同一のアンライセンス搬送波に対する検定結果も大きく相違するため、システムにおいて端末装置のアップリンク情報伝送の時間差異が大きく、なお、ネットワークデバイス（例えば基地局）が異なる端末装置のそれぞれに対して、そのアップリンク情報のタイミング順序関係（例えば確認（ＡＣＫ  Ａｃｋｎｏｗｌｅｄｇｅｍｅｎｔ）／（ＮＡＣＫ  Ｎｏｎ−Ａｃｋｎｏｗｌｅｄｇｅｍｅｎｔ）フィードバック情報）を維持する必要があるため、その実現は複雑である。
【発明の概要】
【発明が解決しようとする課題】
【０００４】
本発明の実施例は、アンライセンス搬送波でのアップリンク情報伝送を実現することができるように、アンライセンス搬送波でアップリンク情報を伝送するための方法及び装置を提供する。
【課題を解決するための手段】
【０００５】
第１形態は、アンライセンス搬送波でアップリンク情報を伝送するための方法を提供し、前記方法は、端末装置は、ネットワークデバイスが該アンライセンス搬送波でデータ伝送を行うための現在時間リソースセットを確定することと、該端末装置は、該アンライセンス搬送波の該現在時間リソースセット内の第１時間リソースで該ネットワークデバイスにアップリンク情報を送信することとを含み、ここで、該ネットワークデバイスは競争して得られた時間リソースセットを使用して該アンライセンス搬送波でデータ伝送を行い、各時間リソースセットに含まれる時間リソースが連続に分布され、異なる時間リソースセット内の時間リソースが間隔をあけて分布され、該アップリンク情報は、該ネットワークデバイスにより該現在時間リソースセットの少なくとも１つの先行時間リソースセットで伝送されたダウンリンク情報に対応する。
【０００６】
具体的に、該ネットワークデバイスにより競争して得られた時間リソースセットは、該現在時間リソースセット及び該少なくとも１つの先行時間リソースセットを含み、該少なくとも１つの先行時間リソースセットのうちの任意の時間リソースが該現在時間リソースセットの任意の時間リソースの前に位置する。
【０００７】
そのため、本発明の実施例におけるアンライセンス搬送波でアップリンク情報を伝送するための方法によって、ネットワークデバイスによりアンライセンス搬送波での伝送リソースを競争し、端末装置は、該ネットワークデバイスにより競争して得られたアンライセンス搬送波の現在時間リソースセットでアップリンク情報を伝送し、該アップリンク情報は、ネットワークデバイスにより少なくとも１つの先行時間リソースセットで伝送されたダウンリンク情報に対応し、端末装置は、該アンライセンス搬送波の伝送リソースを競争する必要がなく、アップリンク情報の伝送を行うことができる。
【０００８】
第１形態を結合し、第１形態の第１実現可能な方式において、該ダウンリンク情報はＤＣＩを含み、該アップリンク情報はＰＵＳＣＨを含み、及び／又は、該ダウンリンク情報はＰＤＳＣＨを含み、該アップリンク情報はＡＣＫ／ＮＡＣＫを含む。
【０００９】
上記の実現可能な方式を結合し、第１形態の第２実現可能な方式において、該端末装置は、該ネットワークデバイスが該アンライセンス搬送波でデータ伝送を行うための現在時間リソースセットを確定することは、該端末装置は該ネットワークデバイスにより送信された第１情報を受信することと、該端末装置は該第１情報に従って、該ネットワークデバイスにより競争して得られた現在時間リソースセットのセット番号を確定することとを含む。
【００１０】
上記の実現可能な方式を結合し、第１形態の第３実現可能な方式において、該第１情報は、該現在時間リソースセットの先頭の時間リソースが所在するシステムフレーム番号情報を含み、又は、該第１情報は、該現在時間リソースセットのセット番号情報を含む。
【００１１】
上記の実現可能な方式を結合し、第１形態の第４実現可能な方式において、該端末装置は、該アンライセンス搬送波の該現在時間リソースセット内の第１時間リソースで該ネットワークデバイスにアップリンク情報を送信する前に、該方法は、さらに、該端末装置は該ネットワークデバイスにより該現在時間リソースセットで送信された第２情報を受信すること、又は、該端末装置は、該ネットワークデバイスにより該少なくとも１つの先行時間リソースセットで送信された第３情報を受信すること、又は、該端末装置は、予め設定された規則に従って、該現在時間リソースセット又は第１時間リソースが該ネットワークデバイスにより該少なくとも１つの先行時間リソースセットで伝送されたダウンリンク情報に対応するアップリンク情報の伝送に用いられることを確認することを含み、該第２情報は、該現在時間リソースセット又は第１時間リソースが該ネットワークデバイスにより該少なくとも１つの先行時間リソースセットで伝送されたダウンリンク情報に対応するアップリンク情報の伝送に用いられることを指示し、該第３情報は、該ネットワークデバイスにより該少なくとも１つの先行時間リソースセットで伝送されたダウンリンク情報に対応するアップリンク情報が、該現在時間リソースセット又は第１時間リソースで送信されることを指示する。
【００１２】
上記の実現可能な方式を結合し、第１形態の第５実現可能な方式において、該第３情報は該現在時間リソースセットのセット番号情報を含む。
【００１３】
上記の実現可能な方式を結合し、第１形態の第６実現可能な方式において、該第２情報は、該少なくとも１つの先行時間リソースセットのうちの各先行時間リソースセットのセット番号情報を含む。
【００１４】
上記の実現可能な方式を結合し、第１形態の第７実現可能な方式において、該第２情報はさらに該少なくとも１つの先行時間リソースセットのうちの少なくとも１つのターゲット時間リソース単位の時間リソース番号情報を含み、ここで、該第１時間リソースは、該ネットワークデバイスにより該少なくとも１つのターゲット時間リソース単位で伝送されたダウンリンク情報に対応するアップリンク情報の伝送に用いられる。
【００１５】
選択可能なものとして、時間リソース単位はサブフレームであり、該第２情報は、さらに、該少なくとも１つの先行時間リソースセット内の少なくとも１つのターゲットサブフレームのサブフレーム番号情報を含む。この時、該第１時間リソースは、具体的に、該少なくとも１つのターゲットサブフレームに対応してもよい。
【００１６】
上記の実現可能な方式を結合し、第１形態の第８実現可能な方式において、該端末装置は該アンライセンス搬送波の該現在時間リソースセット内の第１時間リソースで該ネットワークデバイスにアップリンク情報を送信する前に、該方法は、さらに、該端末装置は予め設定された規則に従って、該現在時間リソースセット内の該第１時間リソースを確定し、又は、該端末装置は該ネットワークデバイスにより該現在時間リソースセットで送信された第４情報を受信することを含み、該第４情報は、該第１時間リソースを示すために用いられる。
【００１７】
上記の実現可能な方式を結合し、第１形態の第９実現可能な方式において、該ダウンリンク情報はＰＤＳＣＨを含み、該アップリンク情報はＡＣＫ／ＮＡＣＫを含み、該端末装置はアンライセンス搬送波の該現在時間リソースセット内の第１時間リソースで該ネットワークデバイスにアップリンク情報を送信することは、該端末装置は該第１時間リソースのＰＵＣＣＨ又はＰＵＳＣＨで該ネットワークデバイスにＮビットのＡＣＫ／ＮＡＣＫを送信することを含み、該ＮビットのＡＣＫ／ＮＡＣＫは、該端末装置が該ネットワークデバイスにより該少なくとも１つの先行時間リソースセットで該端末装置に送信されたＰＤＳＣＨを成功に受信したかどうかを指示するために用いられる。
【００１８】
上記の実現可能な方式を結合し、第１形態の第１０実現可能な方式において、該端末装置は該第１時間リソースのＰＵＣＣＨ又はＰＵＳＣＨで該ネットワークデバイスにＮビットのＡＣＫ／ＮＡＣＫを送信することは、該端末装置は該第１時間リソースでＰＵＣＣＨフォーマット３、ＰＵＣＣＨフォーマット４、又はＰＵＣＣＨフォーマット５を使用して該ネットワークデバイスに該ＮビットのＡＣＫ／ＮＡＣＫを送信することを含む。
【００１９】
上記の実現可能な方式を結合し、第１形態の第１１実現可能な方式において、Ｎは以下の式で確定され、
2019510385.tif 000041
ここで、Ｋは該少なくとも１つの先行時間リソースセットの数を示し、Ｃは各ＰＤＳＣＨに対応するＡＣＫ／ＮＡＣＫの最大ビット数を示し、
2019510385.tif 000042
は該少なくとも１つの先行時間リソースセット内のｉ番目の先行時間リソースセットに含まれる時間リソース単位の数に等しく、又は、ｉ番目の先行時間リソースセットに含まれるダウンリンク時間リソース単位の数に等しく、又は、該ネットワークデバイスによりｉ番目の先行時間リソースセットに配置されたパラメータ値に等しく、該パラメータ値は、該ｉ番目の先行時間リソースセットに含まれる時間リソース単位の数の以下である。
【００２０】
上記の実現可能な方式を結合し、第１形態の第１２実現可能な方式において、Ｎは以下の式で確定され、
2019510385.tif 000043
ここで、Ｋは該少なくとも１つの先行時間リソースセットの数を示し、
2019510385.tif 000044
は該ネットワークデバイスにより該少なくとも１つの先行時間リソースセットのｉ番目の先行時間リソースセットに配置されたパラメータ値に等しく、該パラメータ値は０以上の整数である。
【００２１】
第２形態は、もう1つのアンライセンス搬送波でアップリンク情報を伝送するための方法を提供し、前記方法は、ネットワークデバイスは、該アンライセンス搬送波でデータ伝送を行うための現在時間リソースセットを確定することと、該ネットワークデバイスは、端末装置により該アンライセンス搬送波の該現在時間リソースセット内の第１時間リソースで送信されたアップリンク情報を受信することとを含み、ここで、該ネットワークデバイスは、競争して得られた時間リソースセットを使用して該アンライセンス搬送波でデータ伝送を行い、各時間リソースセットに含まれる時間リソースが連続に分布され、しかも異なる時間リソースセット内の時間リソースが間隔をあけて分布され、該アップリンク情報は、該ネットワークデバイスにより少なくとも１つの先行時間リソースセットで伝送されたダウンリンク情報に対応する。
【００２２】
具体的に、該ネットワークデバイスにより競争して得られた時間リソースセットは、該現在時間リソースセットと該少なくとも１つの先行時間リソースセットを含むことができ、該少なくとも１つの先行時間リソースセット内の任意の時間リソースが該現在時間リソースセット内の任意の時間リソースの前に位置する。
【００２３】
第２形態を結合し、第２形態の第１実現可能な方式において、該ダウンリンク情報はＤＣＩを含み、該アップリンク情報はＰＵＳＣＨを含み、及び／又は、該ダウンリンク情報はＰＤＳＣＨを含み、該アップリンク情報はＡＣＫ／ＮＡＣＫを含む。
【００２４】
上記の実現可能な方式を結合し、第２形態の第２実現可能な方式において、該ネットワークデバイスは端末装置により該アンライセンス搬送波の該現在時間リソースセット内の第１時間リソースで送信されたアップリンク情報を受信する前に、該方法は、さらに、該ネットワークデバイスは第１情報を送信することを含み、該第１情報は、該現在時間リソースセットのセット番号を示すために用いられる。
【００２５】
上記の実現可能な方式を結合し、在第２形態の第３実現可能な方式において、該第１情報は、該現在時間リソースセットの先頭の時間リソースが所在するシステムフレーム番号情報を含み、又は、該第１情報は、該現在時間リソースセットのセット番号情報を含む。
【００２６】
上記の実現可能な方式を結合し、第２形態の第４実現可能な方式において、該ネットワークデバイスは端末装置により該アンライセンス搬送波の該現在時間リソースセット内の第１時間リソースで送信されたアップリンク情報を受信する前に、該方法は、さらに、該ネットワークデバイスは該現在時間リソースセットで第２情報を送信すること、又は、該ネットワークデバイスは該先行時間リソースセットで第３情報を送信すること、又は、該ネットワークデバイスは予め設定された規則に従って、該現在時間リソースセット又は第１時間リソースが該少なくとも１つの先行時間リソースセットで伝送されたダウンリンク情報に対応するアップリンク情報の伝送に用いられることを確定することを含み、該第２情報は、該第１時間リソースセット又は第１時間リソースが該ネットワークデバイスにより該少なくとも１つの先行時間リソースセットで伝送されたダウンリンク情報に対応するアップリンク情報の伝送に用いられることを指示し、該第３情報は、該ネットワークデバイスにより該少なくとも１つの先行時間リソースセットで伝送されたダウンリンク情報に対応するアップリンク情報が、該現在時間リソースセット又は第１時間リソースで送信されることを指示する。
【００２７】
上記の実現可能な方式を結合し、第２形態の第５実現可能な方式において、該第３情報は該現在時間リソースセットのセット番号情報を含む。
【００２８】
上記の実現可能な方式を結合し、第２形態の第６実現可能な方式において、該第２情報は、該少なくとも１つの先行時間リソースセットのうちの各先行時間リソースセットのセット番号情報を含む。
【００２９】
上記の実現可能な方式を結合し、第２形態の第７実現可能な方式において、該第２情報はさらに該少なくとも１つの先行時間リソースセットのうちの少なくとも１つのターゲット時間リソース単位の時間リソース番号情報を含み、ここで、該第１時間リソースは、該ネットワークデバイスにより該少なくとも１つのターゲット時間リソース単位で伝送されたダウンリンク情報に対応するアップリンク情報の伝送に用いられる。
【００３０】
上記の実現可能な方式を結合し、第２形態の第８実現可能な方式において、該ネットワークデバイスは端末装置により該アンライセンス搬送波の現在時間リソースセット内の第１時間リソースで送信されたアップリンク情報を受信する前に、該方法は、さらに、該ネットワークデバイスは該現在時間リソースセットで第４情報を送信することを含み、該第４情報は該第１時間リソースを示すために用いられる。
【００３１】
上記の実現可能な方式を結合し、第２形態の第９実現可能な方式において、該ダウンリンク情報はＰＤＳＣＨを含み、該アップリンク情報はＡＣＫ／ＮＡＣＫを含み、該ネットワークデバイスは、端末装置により該アンライセンス搬送波の該現在時間リソースセット内の第１時間リソースで送信されたアップリンク情報を受信することは、該ネットワークデバイスは、端末装置により該第１時間リソースのＰＵＣＣＨ又はＰＵＳＣＨで伝送されたＮビットのＡＣＫ／ＮＡＣＫを受信することを含み、該ＮビットのＡＣＫ／ＮＡＣＫは、該端末装置が該ネットワークデバイスにより該少なくとも１つの先行時間リソースセットで該端末装置に送信されたＰＤＳＣＨを成功に受信したかどうかを指示するために用いられる。
【００３２】
上記の実現可能な方式を結合し、第２形態の第１０実現可能な方式において、該ネットワークデバイスは端末装置により該第１時間リソースのＰＵＣＣＨ又はＰＵＳＣＨで伝送されたＮビットのＡＣＫ／ＮＡＣＫを受信することは、該ネットワークデバイスは、該端末装置により該第１時間リソースでＰＵＣＣＨフォーマット３、又はＰＵＣＣＨフォーマット４、又はＰＵＣＣＨフォーマット５を使用して伝送されたＮビットのＡＣＫ／ＮＡＣＫを受信することを含み。
【００３３】
上記の実現可能な方式を結合し、第２形態の第１１実現可能な方式において、Ｎは以下の式で確定され、
2019510385.tif 000045
ここで、Ｋは該少なくとも１つの先行時間リソースセットの数を示し、Ｃは各ＰＤＳＣＨに対応するＡＣＫ／ＮＡＣＫの最大ビット数を示し、
2019510385.tif 000046
は該少なくとも１つの先行時間リソースセット内のｉ番目の先行時間リソースセットに含まれる時間リソース単位の数に等しく、又は、ｉ番目の時間リソースセットに含まれるダウンリンク時間リソース単位の数に等しく、又は、該ネットワークデバイスによりｉ番目の時間リソースセットに配置されたパラメータ値に等しく、該パラメータ値は、該ｉ番目の時間リソースセットに含まれる時間リソース単位の数の以下である。
【００３４】
上記の実現可能な方式を結合し、第２形態の第１２実現可能な方式において、Ｎは以下の式で確定され、
2019510385.tif 000047
ここで、Ｋは該少なくとも１つの先行時間リソースセットの数を示し、
2019510385.tif 000048
は該ネットワークデバイスにより該少なくとも１つの先行時間リソースセットのｉ番目の時間リソースセットに配置されたパラメータ値に等しく、該パラメータ値は０以上の整数である。
【００３５】
第３形態は、アンライセンス搬送波でアップリンク情報を伝送するための装置を提供し、上記の第１形態又は第１形態の任意の実現可能な方式の方法を実行するに用いられる。具体的に、該装置は、上記の第１形態又は第１形態の任意の実現可能な方式の方法を実行するためのユニットを含む。
【００３６】
第４形態は、アンライセンス搬送波でアップリンク情報を伝送するための他の装置を提供し、上記の第２形態又は第２形態の任意の実現可能な方式の方法を実行するに用いられる。具体的に、該装置は、上記の第２形態又は第２形態の任意の実現可能な方式の方法を実行するためのユニットを含む。
【００３７】
第５形態は、アンライセンス搬送波でアップリンク情報を伝送するための他の装置を提供し、記憶ユニット及びプロセッサを含み、該記憶ユニットは命令を記憶するために用いられ、該プロセッサは該メモリーに記憶された命令を実行するために用いられ、しかも該プロセッサが該メモリーに記憶された命令を実行する場合、該実行により該プロセッサは第１形態又は第１形態の任意の実現可能な方式の方法を実行する。
【００３８】
第６形態は、アンライセンス搬送波でアップリンク情報を伝送するための他の装置を提供し、記憶ユニット及びプロセッサを含み、該記憶ユニットは命令を記憶するために用いられ、該プロセッサは該メモリーに記憶された命令を実行するために用いられ、しかも該プロセッサが該メモリーに記憶された命令を実行する場合、該実行により該プロセッサは第２形態又は第２形態の任意の実現可能な方式の方法を実行する。
【００３９】
第７形態は、コンピュータ可読記憶媒体を提供し、コンピュータプログラムを記憶するために用いられ、該コンピュータプログラムは、第１形態又は第１形態の任意の実現可能な方式の方法を実行するための命令を含む。
【００４０】
第８形態は、コンピュータ可読記憶媒体を提供し、コンピュータプログラムを記憶するために用いられ、該コンピュータプログラムは、第２形態又は第２形態の任意の実現可能な方式の方法を実行するための命令を含む。
【００４１】
選択可能なものとして、本発明の幾つかの形態において、該ネットワークデバイスは、ブロードキャストで第１情報、第２情報、第３情報及び第４情報のうちの少なくとも１つを送信する。
【００４２】
そうすると、該ネットワークデバイスは、すべての端末装置が同様なアップリンクとダウンリンクとのサブフレーム対応関係又はＨＡＲＱ対応関係を採用するように構成され、各端末装置の状況に基づいて、それらのアップリンクとダウンリンクとのサブフレーム対応関係をそれぞれ確定する必要がなく、それによって、該ネットワークデバイスの複雑度を低減させ、システム性能を向上させることができる。
【図面の簡単な説明】
【００４３】
【図１】本発明の実施例が応用されるシステムの構成図である。
【図２】本発明の実施例におけるアンライセンス搬送波でアップリンク情報を伝送するための方法のフローチャートである。
【図３】本発明の実施例におけるアンライセンス搬送波でアップリンク情報を伝送するための方法の構成例である。
【図４】本発明の実施例におけるアンライセンス搬送波でアップリンク情報を伝送するための方法の他の構成例である。
【図５】本発明の実施例におけるアンライセンス搬送波でアップリンク情報を伝送するための方法の他の構成例である。
【図６】本発明の実施例におけるアンライセンス搬送波でアップリンク情報を伝送するための装置のブロック図である。
【図７】本発明の実施例におけるアンライセンス搬送波でアップリンク情報を伝送するための装置の他のブロック図である。
【図８】本発明の実施例におけるアンライセンス搬送波でアップリンク情報を伝送するための装置の他のブロック図である。
【図９】本発明の実施例におけるアンライセンス搬送波でアップリンク情報を伝送するための装置の他のブロック図である。
【発明を実施するための形態】
【００４４】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００４５】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００４６】
理解すべきものとして、本発明の実施例における技術案は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイドインターオペラビリティフォーマイクロウェーブアクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムなどに応用されることができる。
【００４７】
なお、本明細書に単語「システム」及び「ネットワーク」は置換可能に使用される。本明細書に単語「及び／又は」は、関連対象の関連関係を示し、３つの関係を示し、例えば、Ａ及び／又はＢは、Ａが単独で存在し、ＡとＢが同時に存在し、Ｂが単独で存在するという３つの状況を示す。また、本明細書に符号「／」は、通常に、前後の対象の「又は」の関係を示す。
【００４８】
図１は本発明の実施例が応用される無線通信システム１００を示す。該無線通信システム１００は、少なくとも１つのネットワークデバイス１１０を含むことができる。ネットワークデバイス１００は、端末装置と通信するデバイスであってもよい。各ネットワークデバイス１００は、特定の地理エリアに通信カバレージを提供し、該カバレージエリアに位置する端末装置と通信することができる。該ネットワークデバイス１００は、ＧＳＭシステム又はＣＤＭＡ（ＣＤＭＡ：Ｃｏｄｅ  Ｄｉｖｉｓｉｏｎ  Ｍｕｌｔｉｐｌｅ  Ａｃｃｅｓｓ）システムにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）、クラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラー、リピータ、アクセスポイント、車載デバイス、ウェアラブルデバイス及び将来の５Ｇネットワークにおけるネットワーク側デバイス、又は未来進化型の公衆移動通信網（ＰＬＭＮ：Ｐｕｂｌｉｃ  Ｌａｎｄ  Ｍｏｂｉｌｅ  Ｎｅｔｗｏｒｋ）におけるネットワークデバイスなどであってもよい。
【００４９】
該無線通信システム１００には、さらに、ネットワークデバイス１１０のカバー範囲に位置する複数の端末装置１２０が含まれる。該端末装置１２０は、移動又は固定の端末装置であってもよい。該端末装置１２０は、アクセス端末、端末はユーザ装置（ＵＥ：Ｕｓｅｒ  Ｅｑｕｉｐｍｅｎｔ）、加入者ユニット、加入者サイト、移動サイト、移動局、遠隔局、遠隔端末、移動装置、ユーザ端末、端末、無線通信装置、ユーザエージェント又はユーザデバイスであってもよい。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末、又は未来進化型の公衆移動通信網（ＰＬＭＮ：Ｐｕｂｌｉｃ  Ｌａｎｄ  Ｍｏｂｉｌｅ  Ｎｅｔｗｏｒｋ）における端末装置などであってもよい。
【００５０】
図１は1つのネットワークデバイス及び２つの端末装置を示し、選択的なものとして、該無線通信システム１００は、複数のネットワークデバイスを含み、各ネットワークデバイスのカバー範囲に他の数量の端末装置が含まれてもよく、本発明の実施例はこれに限定しない。
【００５１】
選択可能なものとして、該無線通信システム１００は、さらに、ネットワークコントローラ、モバイル管理エンティティ等の他のネットワークエンティティを含むことができ、本発明の実施例はこれに限定しない。
【００５２】
該無線通信システム１００はＬＡＡをサポートすることができ、例えば、該無線通信システム１００は、具体的に、ＬＡＡ−ＬＴＥであってもよいし、他の通信システムであってもよく、本発明の実施例はこれに限定しない。ネットワークデバイス１１０と端末装置１２０は、ＬＡＡを使用して通信を行う場合、ライセンススペクトル（Ｌｉｃｅｎｓｅｄ  Ｓｐｅｃｔｒｕｍ）を使用してもよいし、アンライセンススペクトル（Ｕｎｌｉｃｅｎｓｅｄ  Ｓｐｅｃｔｒｕｍ）を使用してもよく、ここで、アンライセンススペクトルは、ＬＡＡによって、ライセンススペクトルのみが本来に使用されるセルラー通信ネットワーク（例えばＬＴＥ）に組み込まれ、しかも搬送波アグリゲーションシーンにおいて補助搬送波として使用される。ライセンススペクトルについて、許可されて使用され、アンライセンススペクトルについて、許可される必要がなく、誰ても合法的に使用することができる。この時、ライセンススペクトルでの搬送波は、ライセンス搬送波（Ｌｉｃｅｎｓｅｄ  Ｃａｒｒｉｅｒ）と呼ばれ、アンライセンススペクトルでの搬送波は、アンライセンス搬送波（Ｕｎｌｉｃｅｎｓｅｄ  Ｃａｒｒｉｅｒ）と呼ばれる。
【００５３】
長期進化型のライセンスアシストアクセス（ＬＡＡ−ＬＴＥ：Ｌｉｃｅｎｓｅｄ  Ａｓｓｉｓｔｅｄ  Ａｃｃｅｓｓ  Ｕｓｉｎｇ  Ｌｏｎｇ  Ｔｅｒｍ  Ｅｖｏｌｕｔｉｏｎ）システム又はＬＡＡをサポートする他の通信システムにおいて、ネットワークデバイスは、ライセンス搬送波のアシストによってアンライセンス搬送波をスケジューリングすることができ、ここで、アンライセンス搬送波のアクセスはＬＢＴメカニズムによって実現するが、本発明の実施例はこれに限定しない。選択可能なものとして、ネットワークデバイスは、アンライセンス搬送波でデータ伝送を行う前に、無線ローカルエリアネットワーク（ＷＬＡＮ：Ｗｉｒｅｌｅｓｓ  Ｌｏｃａｌ  Ａｒｅａ  Ｎｅｔｗｏｒｋ）におけるノード及び／又はセルラネットワークにＬＡＡを使用して他のノードとは、該アンライセンス搬送波でのリソースを競争し、競争成功である場合、競争して得られたリソースを使用してデータ伝送を行う。
【００５４】
説明を分かり易くするため、該ネットワークデバイスにより毎回に競争して得られた該アンライセンス搬送波での連続の時間リソースを１つの時間リソースセットとし、該時間リソースセットは、少なくとも１つの連続のサブフレームを含むことができ、又は、少なくとも１つの連続のサブフレーム及びあるサブフレームにおける一部の時間リソース（例えば、あるサブフレームにおける少なくとも１つの連続の符号）を含むことができ、例えば、連続に分布されたサブフレームｎ〜サブフレームｍ及びサブフレームｍ＋１のうちの少なくとも１つの連続の符号を含むことができるが、本発明の実施例はこれに限定しない。
【００５５】
該ネットワークデバイスにより競争して得られた各時間リソースセットは、連続に分布された時間リソースを含むことができ、異なる時間リソースセットに含まれる時間リソースは、間隔を隔て分布されてもよく、ここで、間隔は、１つの以上のサブフレームであってもよいし、１つの以上の符号であってもよく、本発明の実施例はこれに限定しない。
【００５６】
該ネットワークデバイスは、競争して得られた時間リソースセットにおいてデータ伝送を行うことができ、例えば、該ネットワークデバイスは、時間リソースセットにおいて端末装置にダウンリンク情報、例えばシグナリング又はＰＤＳＣＨをを送信してもよいし、端末装置により時間リソースセットで送信されたアップリンク情報、例えばアップリンクフィードバック又はＰＵＳＣＨを受信してもよく、本発明の実施例はこれに限定しない。
【００５７】
図２は本発明の実施例におけるアップリンク情報を伝送するための方法２００を示す。該方法は、ＬＡＡにおけるアンライセンス搬送波でアップリンク情報を伝送するために用いられることができる。
【００５８】
Ｓ２１０において、ネットワークデバイスは、アンライセンス搬送波の少なくとも１つの先行時間リソースセットを競争して取得し、少なくとも１つの先行時間リソースセットで端末装置にダウンリンク情報を送信する。
【００５９】
選択可能なものとして、該ネットワークデバイスは、ＬＢＴメカニズムを使用して、アンライセンス搬送波の伝送チャネルを競争してもよい。該ネットワークデバイスは、少なくとも１つの先行時間リソースセット内の各先行時間リソースセットを競争して取得し、少なくとも１つの先行時間リソースセットでダウンリンク情報を送信してもよい。選択可能なものとして、該ネットワークデバイスは、該少なくとも１つの先行時間リソースセットにおいて、他の端末装置にもダウンリンク情報を送信してもよい。
【００６０】
Ｓ２２０において、ネットワークデバイスは、アンライセンス搬送波での伝送リソースを継続に競争する。
【００６１】
該ネットワークデバイスは該アンライセンス搬送波での伝送リソースを競争して取得した場合、該ネットワークデバイスにより現在に競争して得られた該アンライセンス搬送波での連続の時間リソースが構成する時間リソースセットを現在時間リソースセットと呼ばれることができる。
【００６２】
Ｓ２３０において、端末装置は、ネットワークデバイスが該アンライセンス搬送波でデータ伝送を行うための現在時間リソースセットを確定する。
【００６３】
該端末装置は、多種の方式でネットワークデバイスにより現在に競争して得られた時間リソースセット、即ち現在時間リソースセットを確定することができる。選択可能なものとして、該ネットワークデバイスは、該現在時間リソースセットで情報を送信し、該情報は指示情報又は物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を含み、それに対応し、該端末装置は、該現在時間リソースセットで受信された情報に従って、該ネットワークデバイスにより競争して得られた該アンライセンス搬送波の現在時間リソースセットを確定する。例えば、該ネットワークデバイスは、該現在時間リソースセットの先頭の時間リソースで該情報を送信し、具体的に、ブロードキャスト又はユニキャストによって該端末装置に送信することができ、本発明の実施例はこれに限定しない。
【００６４】
１つの選択的な実施例として、該ネットワークデバイスは、現在時間リソースセットで第１情報を送信してもよく、該第１情報は、該現在時間リソースセットのセット番号を示すために用いられ、それに対応し、該端末装置は、該第１情報に従って、該現在時間リソースセットのセット番号を確定し、即ち、該現在時間リソースがネットワークデバイスにより競争して得られた何番目の時間リソースセットであることを確定する。該第１情報は、該現在時間リソースセットのセット番号を明示又は暗黙的に示すことができる。選択可能なものとして、該第１情報は、該現在時間リソースセットの先頭の時間リソースが所在するシステムフレームの番号情報を含むことができ、例えば、該第１情報は、現在時間リソースセット内の１番目のサブフレームのシステムフレーム番号（ＳＦＮ：Ｓｙｓｔｅｍ  Ｆｒａｍｅ  Ｎｕｍｂｅｒ）情報を含むことができ、又は、該第１情報は、該現在時間リソースセットのセット番号情報を含むことができ、例えば、ネットワークデバイスによりアンライセンス搬送波で競争して得られた時間リソースセットを時間の順番に従って番号を付けるが、本発明の実施例はこれに限定しない。
【００６５】
選択可能なものとして、該端末装置は該第１情報に従って、該現在時間リソースセットに含まれる連続の時間リソースを確定してもよい。例えば、該ネットワークデバイスは、現在時間リソースセット内の特定の時間リソース（例えば、該特定の時間リソースは、具体的に、該現在時間リソースセット内のＮ番目の時間リソース単位であってもよく、該時間リソース単位は、サブフレーム、符号、又はその他の単位であってもよい）において該第１情報を送信してもよく、該特定の時間リソースは、該現在時間リソースセットの先頭の時間リソースであってもよく、それに対応し、該端末装置は、該特定の時間リソースに従って、該現在時間リソースセットに含まれる連続の時間リソースを確定してもよいが、本発明の実施例はこれに限定しない。
【００６６】
該ネットワークデバイスは、ブロードキャストによって該第１情報を送信してもよいし、ユニキャスト又はマルチキャストによって該第１情報を送信してもよいが、本発明の実施例はこれに限定しない。
【００６７】
Ｓ２４０において、端末装置は、該アンライセンス搬送波の第１時間リソースでネットワークデバイスにアップリンク情報を送信し、ここで、該アップリンク情報は、該ネットワークデバイスにより少なくとも１つの先行時間リソースセットで伝送されたダウンリンク情報に対応する。
【００６８】
該少なくとも１つの先行時間リソースセット内の各時間リソースセットが該現在時間リソースセットの前に位置し、即ち、該少なくとも１つの先行時間リソースセット内の任意の時間リソースが該現在時間リソースセット内の任意の時間リソースの前に位置する。該ネットワークデバイスは、該アンライセンス搬送波の少なくとも１つの先行時間リソースセットを競争して取得し、該少なくとも１つの先行時間リソースセット内の各先行時間リソースセットでダウンリンク情報を伝送し、該ダウンリンク情報は、ＰＤＳＣＨ又はダウンリンク制御シグナリングを含むことができる。該端末装置は、現在時間リソースセットで該ネットワークデバイスに該少なくとも１つの先行時間リソースセットにおけるダウンリンク情報に対応するアップリンク情報を送信し、ここで、ダウンリンク情報がＰＤＳＣＨを含む場合、該端末装置により送信されたアップリンク情報は、該端末装置が該ＰＤＳＣＨのフィードバック情報を成功に受信したかどうかを指示するためのフィードバック情報例えばＡＣＫ／ＮＡＣＫを含むことができ、ダウンリンク情報がダウンリンク制御シグナリング、例えばダウンリンク制御情報（ＤＣＩ：Ｄｏｗｎｌｉｎｋ  Ｃｏｎｔｒｏｌ  Ｉｎｆｏｒｍａｔｉｏｎ）を含む場合、該端末装置により送信されたアップリンク情報は、該ダウンリンク制御シグナリングによりスケジューリングされたＰＵＳＣＨを含み、ダウンリンク情報が基準信号、例えばセル基準信号（ＣＲＳ：Ｃｅｌｌ  Ｒｅｆｅｒｅｎｃｅ  Ｓｉｇｎａｌ）又はチャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を含む場合、該端末装置により送信されたアップリンク情報は、端末装置が基準信号対する測定結果、例えばチャネル状態情報（ＣＳＩ  Ｃｈａｎｎｅｌ  Ｓｔａｔｅ  Ｉｎｆｏｒｍａｔｉｏｎ）を含むことができるが、本発明の実施例はこれに限定しない。
【００６９】
選択可能なものとして、他の１つの選択的な実施例として、端末装置が該少なくとも１つの先行時間リソースセットでネットワークデバイスにより送信されたいかなるダウンリンク情報を受信しなく、又はアップリンク情報を送信する必要がであるいかなるダウンリンク情報を受信しない場合、該端末装置は、該現在時間リソースセットでネットワークデバイスにアップリンク情報を送信しなくてもよいが、本発明の実施例はこれに限定しない。
【００７０】
本発明の実施例において、該端末装置は、多種の方式で該第１時間リソースを確定することができる。選択可能なものとして、該第１時間リソースは、予め設定された規則に従って確定したのもであり、該予め設定された規則は、プロトコルによって規定され、該端末装置に予め設定されたものであってもよいし、ネットワークデバイスによって予め構成されたものであってもよい。例えば、該第１時間リソースは、該現在時間リソースセット内のＭ番目の時間リソース単位であってもよく、該時間リソース単位は、サブフレーム又は符号又は他の単位であってもよい。選択可能なものとして、該ネットワークデバイスは、該現在時間リソースセットで該第１情報を送信し、該端末装置は、上記の第１情報及び該第１情報を送信するための時間リソースと該第１時間リソースとの間の所定間隔に従って、該第１時間リソースを確定してもよく、例えば、該第１時間リソースは該第１情報を送信するための時間リソースと隣接し、又は、所定数の時間リソースを隔て、本発明の実施例はこれに限定しない。
【００７１】
選択可能なものとして、他の１つの実施例として、該端末装置は該ネットワークデバイスにより送信された第４情報を受信してもよく、該第４情報は、該第１時間リソースがアップリンク情報の伝送に用いられることを指示し、しかも第４情報に従って、該第１時間リソースを確定し、ここで、該第４情報は、該ネットワークデバイスにより該現在時間リソースセットで送信されたものであってもよいし、該ネットワークデバイスにより該少なくとも１つの先行時間リソースセットで送信されたものであってもよく、本発明の実施例はこれに限定しない。該第４情報は、該第１時間リソースを明示又は暗黙的に示すことができ、例えば、該第４情報は、該第１時間リソースのリソース番号情報を含むことができ、例えば、該第１時間リソースは、具体的に、第１サブフレームであってもよく、該第４情報は、該第１サブフレームの時間リソース番号情報を含むが、本発明の実施例はこれに限定しない。
【００７２】
本発明の実施例において、該端末装置は、多種の方式で該第１時間リソースと該少なくとも１つの先行時間リソースセットとの対応関係を確定することができる。選択可能なものとして、該端末装置は、予め設定された規則に従って、該対応関係を確定することができる。例えば、該少なくとも１つの先行時間リソースセットと該現在時間リソースセットとの対応関係は、予め約定又は規定されてものであり、例えば、該少なくとも１つの先行時間リソースセットは現在時間リソースセットの前からの１つの以上の時間リソースセットであり、それに対応し、該端末装置は、該現在時間リソースセットと該少なくとも１つの先行時間リソースセットとの間の対応関係、及び該現在時間リソースセットにアップリンク情報を伝送するための第１時間リソースに従って、該第１時間リソースと該少なくとも１つの先行時間リソースセットとの間の対応関係を確定することができる。また、例えば、該現在時間リソースセット内の時間リソースと先行時間リソースセットとの間の対応関係は、予め約定又は規定されたのもであり、例えば、該現在時間リソースセット内のＬ番目の時間リソース単位と該現在時間リソースセットの前からのＰ番目の時間リソースセットとの間に対応関係を有するが、本発明の実施例はこれに限定しない。
【００７３】
選択可能なものとして、他の１つの実施例として、該端末装置は、該ネットワークデバイスにより該現在時間リソースセットで送信された第２情報を受信し、又は該ネットワークデバイスにより該少なくとも１つの先行時間リソースセットで送信された第３情報を受信することができる。それに対応し、該端末装置は、該第２情報又は第３情報に従って、該第１時間リソース及び／又は該現在時間リソースセットと該少なくとも１つの先行時間リソースセットとの間の対応関係を確定することができる。選択可能なものとして、該第２情報は、該少なくとも１つの先行時間リソースセットの各先行時間リソースセットのセット番号情報及び／又は該少なくとも１つの先行時間リソースセットの各先行時間リソースセットの先頭の時間リソースの所在するシステムフレームの番号情報（例えば１番目のサブフレームのＳＦＮ情報）を含むことができる。該端末装置により該第１時間リソースで送信されたアップリンク情報は、該少なくとも１つの先行時間リソースセットの各先行時間リソースセットの一部又は全部のダウンリンク情報に対応しても良い。選択可能なものとして、該第２情報は、さらに、該少なくとも１つの先行時間リソースセットの少なくとも１つのターゲット時間リソース単位の時間リソース番号情報を含み、ここで、該ターゲット時間リソース単位は、具体的に、ターゲットサブフレーム又は他の時間リソース単位であってもよく、この時、該第１時間リソースで送信されたアップリンク情報は、少なくとも１つのターゲット時間リソース単位でのダウンリンク情報に対応するが、本発明の実施例はこれに限定しない。
【００７４】
以下、時間リソースセットが具体的にサブフレームセットであり、時間リソース単位が具体的にサブフレームであることを例として説明する。仮に、現在時間リソースセットは具体的にサブフレームセットｎであり、少なくとも１つの先行時間リソースセットはサブフレームセットｎ−１及びサブフレームセットｎ−２を含む。該第１時間リソースはサブフレームａ及びサブフレームｂを含み、ここで、サブフレームａはサブフレームセットｎ−２に対応し、サブフレームｂはサブフレームセットｎ−１に対応し、サブフレームセットｎ−２のうちの１番目のサブフレームのＳＦＮが・・・０１であり、サブフレームセットｎ−１のうちの１番目のサブフレームのＳＦＮが・・・１０である。図３に示すように、該第２情報は、サブフレームａがＳＦＮ番号・・・０１に対応し、サブフレームｂがＳＦＮ番号・・・１０に対応することを示すことができ、即ち、サブフレームａは、ＳＦＮ番号・・・０１のサブフレームセットに対応するアップリンク情報の伝送に用いられ、サブフレームｂは、ＳＦＮ番号・・・１０のサブフレームセットに対応するアップリンク情報の伝送に用いられる。ここで、サブフレームのＳＦＮの値の範囲は、０~１０２３であり、それに対応し、ＳＦＮは、１０ビットによって示すことができる。
【００７５】
選択可能なものとして、シグナリングオーバーヘッドを低減させるために、該ネットワークデバイスは、Ｍビットを使用し、ある先行時間リソースセット内の１番目のサブフレームのＳＦＮを第２情報に示すことができ、Ｍが２以上の整数である。例えば、該第２情報にＳＦＮの最後のＭつのビット又は他の位置にあるＭつのビットが含まれるが、本発明の実施例はこれに限定しない。
【００７６】
図４に示すように、該第２情報は２ビットを使用して先行時間リソースセットのセット番号を示す。具体的に、サブフレームセットｎ−２のセット番号が１０、サブフレームセットｎ−１のセット番号が１１である場合、該第２情報は、サブフレームａがセット番号１０に対応し、サブフレームｂがセット番号１１に対応することを示すことができる。
【００７７】
第２情報に該少なくとも１つの先行時間リソースセット内の具体的な時間リソースを示さない場合、該端末装置は、該第１時間リソースで、該少なくとも１つの先行時間リソースセットの各先行時間リソースセットのすべての時間リソース又はすべてのダウンリンク時間リソース又はダウンリンク情報が受信されたすべてのダウンリンク時間リソースに対応するアップリンク情報を送信することを黙従する。選択可能なものとして、該第２情報は、さらに、ある先行時間リソースセットの該第１時間リソースに対応する時間リソースの時間リソース番号情報を含むことができる。例えば、該第２情報は、さらに、先行時間リソースセットの該第１時間リソースに対応する少なくとも１つのターゲットサブフレームのサブフレーム番号情報を含み、ここで、サブフレーム番号の値は０〜９である。選択可能なものとして、該第２情報に、第１時間リソースに対応するサブフレームのサブフレーム番号を示すための４つのビットが含まれ、又は、無線フレーム中の１０つのサブフレームを予めＬつのグループに分け、ここで、
2019510385.tif 000049
さらに、第２情報に
2019510385.tif 000050
ビットを使用して、該第１時間リソースに対応するサブフレームが属するグループ番号を示す。
【００７８】
図５に示すように、サブフレームａがサブフレームセットｎ−２のサブフレーム４に対応し、サブフレームｂがサブフレームセットｎ−１のサブフレーム２に対応する場合、第２情報は、具体的に、サブフレームａがＳＦＮ番号情報が０１であり且つサブフレーム番号が４であるサブフレームに対応し、サブフレームｂがＳＦＮ番号情報１０且つサブフレーム番号が２であるサブフレームに対応することを示すが、本発明の実施例はこれに限定しない。
【００７９】
理解すべきものとして、図３〜図５の例は、当業者にとって本発明の実施例を分かりやすくためのものであり、本発明の実施例を限定するものではない。当業者は、記載された図３〜図５の例に応じて、修正又は変更を行うことができ、これらの修正又は変更も本発明の実施例の範囲に含まれる。
【００８０】
他の１つの選択的な実施例として、該第２情報は、さらに、該少なくとも１つの先行時間リソースセット内のサブフレームの数及び／又はダウンリンクサブフレームの数を示すが、本発明の実施例はこれに限定しない。
【００８１】
他の１つの選択的な実施例として、該端末装置は、第３情報に従って、該第１時間リソースと該少なくとも１つの先行時間リソースセットとの対応関係を確定しても良い。選択可能なものとして、該第３情報は、該現在時間リソースセット、又は、該現在時間リソースセット内の第１時間リソースを示すために用いられる。例えば、該第３情報は、該現在時間リソースセットのセット番号情報を含み、又は、さらに、該第１時間リソースの該現在時間リソースセットの所在位置を含むことができる。１つの具体的な例として、該ネットワークデバイスは、競争して得られた時間リソースセットＬで端末装置にＤＣＩを送信し、該ＤＣＩは、該端末装置のＰＵＳＣＨをスケジューリングし、競争して得られた時間リソースセットＬ＋Ｍで該ＰＵＳＣＨを伝送することに用いられ、Ｍが１以上の整数であるが、本発明の実施例はこれに限定しない。
【００８２】
理解すべきものとして、上記の第１情報、第２情報、第３情報及び第４情報は、異なるメッセージに含まれ、又は、一部の情報が同一のメッセージに含まれることができる。例えば、第１情報又は第４情報は、第２情報と一緒に同一のメッセージに含まれ、又は、第１情報と第３情報は同一のメッセージに含まれ、本発明の実施例はこれに限定しない。
【００８３】
そして、本発明の実施例におけるアンライセンス搬送波でアップリンク情報を伝送するための方法によって、ネットワークデバイスによりアンライセンス搬送波での伝送リソースを競争し、しかも端末装置は、該ネットワークデバイスにより競争して得られたアンライセンス搬送波の現在時間リソースセットでアップリンク情報を伝送し、該アップリンク情報は、ネットワークデバイスにより少なくとも１つの先行時間リソースセットで伝送されたダウンリンク情報に対応し、端末装置は、該アンライセンス搬送波での伝送リソースを競争する必要がない。
【００８４】
なお、該ネットワークデバイスは、すべての端末装置がアップリンクダウンリンクサブフレーム対応関係又はＨＡＲＱ対応関係を採用するように構成され、各端末装置に基づいて、それらのダウンリンクサブフレーム対応関係をそれぞれ確定する必要がなく、該ネットワークデバイスの複雑度を低減させ、システム性能を向上させることができる。
【００８５】
本発明の実施例において、該端末装置は、第１時間リソースでアップリンク情報を送信することができ、ここで、選択可能なものとして、該第１時間リソースは、１つの以上の時間リソース単位、例えば１つの以上のサブフレームに対応しても良く、該アップリンク情報は、１つの先行時間リソースセットにおけるダウンリンク情報に対応してよいし、複数の先行時間リソースセットの各先行時間リソースセットにおけるダウンリンク情報に対応してもよく、しかも、具体的に、各先行時間リソースセットの１つの以上の時間リソース単位におけるダウンリンク情報に対応しても良い。つまり、本発明の実施例において、該端末装置は、１つの時間リソース単位で１つの以上の他の時間リソース単位のダウンリンク情報に対応するアップリンク情報を送信し、例えば、１つのサブフレームで１つの以上の他のサブフレームのＰＤＳＣＨに対応するＡＣＫ／ＮＡＣＫをフィードバックするが、本発明の実施例はこれに限定しない。
【００８６】
選択可能なものとして、端末装置は、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）又はＰＵＳＣＨでフィードバック情報を伝送しても良く、該フィードバック情報は、具体的に、ＡＣＫ／ＮＡＣＫであっても良い。該端末装置はＰＵＣＣＨでＡＣＫ／ＮＡＣＫを伝送する場合、選択可能なものとして、該端末装置は、ＰＵＣＣＨフォーマット３、ＰＵＣＣＨフォーマット４、ＰＵＣＣＨフォーマット５、又は他のフォーマットを使用してＡＣＫ／ＮＡＣＫを伝送してもよいが、本発明の実施例はこれに限定しない。
【００８７】
該端末装置は、該第１時間リソースでＮビットのＡＣＫ／ＮＡＣＫを伝送してもよく、Ｎは、該少なくとも１つの先行時間リソースセットに含まれるすべての時間リソース単位の数又はすべてのダウンリンク時間リソース単位の数であってもよく、この時、該端末装置は、ＰＤＳＣＨを受信しない時間リソース単位に対して０又は１でパディングし、又は、Ｎは該少なくとも１つの先行時間リソースセットで該端末装置により受信された、該ネットワークデバイスにより送信されたＰＤＳＣＨの時間リソース単位の数であってもよく、又は、該ネットワークデバイスにより配置された数であっても良いが、本発明の実施例はこれに限定しない。
【００８８】
１つの選択的な実施例として、Ｎは以下の式で確定され、
2019510385.tif 000051
ここで、Ｋは該少なくとも１つの先行時間リソースセットの数を示し、Ｃは各ＰＤＳＣＨに対応するＡＣＫ／ＮＡＣＫの最大ビット数を示し、
2019510385.tif 000052
は該少なくとも１つの先行時間リソースセット内のｉ番目の先行時間リソースセットに含まれる時間リソース単位の数に等しく、又は、ｉ番目の先行時間リソースセットに含まれるダウンリンク時間リソース単位の数に等しく、又は、該ネットワークデバイスによりｉ番目の先行時間リソースセットに配置されたパラメータ値に等しく、該パラメータ値は該ｉ番目の先行時間リソースセットに含まれる時間リソース単位の数の以下である。
【００８９】
他の１つの選択的な実施例として、Ｎは以下の式で確定され、
2019510385.tif 000053
ここで、Ｋは該少なくとも１つの先行時間リソースセットの数を示し、
2019510385.tif 000054
は該ネットワークデバイスにより該少なくとも１つの先行時間リソースセットのｉ番目の先行時間リソースセットに配置されたパラメータ値に等しく、該パラメータ値は０以上の整数である。
【００９０】
本発明の実施例において、複数の端末装置が同じアップリンクダウンリンクサブフレーム対応関係（ＨＡＲＱタイミング関係とも呼ばれる）に対応する場合、少なくとも２つの端末装置が該アンライセンス搬送波の同じ時間リソースで該ネットワークデバイスにアップリンク情報を送信する可能性があり、この時、該少なくとも２つの端末装置は、該同じ時間リソースの異なるリソース（例えば周波数リソース、コードリソース等）を使用してアップリンク情報の伝送を行うことができる。選択可能なものとして、異なる端末装置に対応するリソースは、予め定義されてもよいし、該ネットワークデバイスにより配置されてもよく、本発明の実施例はこれに限定しない。
【００９１】
他の１つの選択的な実施例として、該方法２００は、さらに、
該ネットワークデバイスは第５情報を送信することを含み、該第５情報は、端末装置の該第１時間リソースの対応するリソース番号情報を示すために用いられる。
【００９２】
該第５指示情報は、ユニキャスト、マルチキャスト又はブロードキャストによって送信されても良い。例えば、該ネットワークデバイスは該第５情報をブロードキャストしても良く、該第５情報は、複数の端末装置のうちの各端末装置の該第１時間リソースの対応するリソース番号情報を示すために用いられる。この時、端末装置は、第１時間リソースで該第５情報が示す伝送リソースを使用して該ネットワークデバイスにアップリンク情報を送信しても良い。
【００９３】
理解すべきものとして、上記の実施例は、アップリンク情報にＡＣＫ／ＮＡＣＫ及び／又はＰＵＳＣＨが含まれることを例として説明しており、選択可能なものとして、該アップリンク情報は、さらに、スケジューリング要求（Ｓｃｈｅｄｕｌｉｎｇ  Ｒｅｑｕｅｓｔ）及び／又はＣＳＩを含むことができるが、本発明の実施例はこれに限定しない。
【００９４】
また、理解すべきものとして、上記の各過程の番号は、実行の順番を意味しなく、各過程の実行の順番は、その機能及び内部ロジックによって確定されるが、本発明の実施例の実施過程を限定しない。
【００９５】
以上、図１〜図５を結合し、本発明の実施例におけるアンライセンス搬送波でアップリンク情報を伝送するための方法を詳しく説明しており、以下、図６〜図９を結合し、本発明の実施例におけるアンライセンス搬送波でアップリンク情報を伝送するための装置を詳しく説明する。
【００９６】
図６は本発明の実施例におけるアンライセンス搬送波でアップリンク情報を伝送するための装置３００を示す。該装置３００は、確定ユニット３１０及び送信ユニット３２０を含む。
【００９７】
確定ユニット３１０は、ネットワークデバイスが該アンライセンス搬送波でデータ伝送を行うための現在時間リソースセットを確定するように構成され、ここで、該ネットワークデバイスは、競争して得られた時間リソースセットを使用して該アンライセンス搬送波でデータ伝送を行い、競争して得られた各時間リソースセットに含まれる時間リソースが連続に分布され、異なる時間リソースセット内の時間リソースが間隔をあけて分布される。
【００９８】
送信ユニット３２０は、該確定ユニット３１０により確定された該現在時間リソースセット内の第１時間リソースで該ネットワークデバイスにアップリンク情報を送信するように構成され、該アップリンク情報は、該ネットワークデバイスにより少なくとも１つの先行時間リソースセットで伝送されたダウンリンク情報に対応する。
【００９９】
具体的に、該ネットワークデバイスにより競争して得られた時間リソースセットは、該現在時間リソースセットと該少なくとも１つの先行時間リソースセットを含み、該少なくとも１つの先行時間リソースセット内の任意の時間リソースが該現在時間リソースセットの任意の時間リソースの前に位置する。
【０１００】
選択可能なものとして、該ダウンリンク情報はＤＣＩを含み、該アップリンク情報はＰＵＳＣＨを含む。
【０１０１】
選択可能なものとして、他の１つの実施例として、該ダウンリンク情報はＰＤＳＣＨを含み、該アップリンク情報はＡＣＫ／ＮＡＣＫを含む。
【０１０２】
他の１つの選択的な実施例として、該装置３００は、さらに、第１受信ユニットを含み、前記第１受信ユニットは、該ネットワークデバイスにより送信された第１情報を受信するように構成される。
【０１０３】
それに対応し、該確定ユニット３１０は、具体的に、該第１受信ユニットにより受信された該第１情報に従って、該ネットワークデバイスにより競争して得られた現在時間リソースセットのセット番号を確定するように構成される。
【０１０４】
１つの選択的な実施例として、該第１情報は、該現在時間リソースセットの先頭の時間リソースが所在するシステムフレーム番号情報を含み、又は、該第１情報は、該現在時間リソースセットのセット番号情報を含む。
【０１０５】
１つの選択的な実施例として、該装置３００は、さらに、第２受信ユニットを含み、第２受信ユニットは、該送信ユニット３２０が該確定ユニット３１０により確定された該現在時間リソースセット内の第１時間リソースで該ネットワークデバイスにアップリンク情報送信する前に、該ネットワークデバイスにより該現在時間リソースセットで送信された第２情報を受信するように構成され、該第２情報は、該第１時間リソース又は現在時間リソースセットが、該ネットワークデバイスにより該少なくとも１つの先行時間リソースセットで伝送されたダウンリンク情報に対応するアップリンク情報の伝送に用いられる。
【０１０６】
他の１つの選択的な実施例として、該装置３００は、さらに、第２受信ユニットを含み、第２受信ユニットは、該送信ユニット３２０が該確定ユニット３１０により確定された該現在時間リソースセット内の第１時間リソースで該ネットワークデバイスにアップリンク情報を送信する前に、該ネットワークデバイスにより該少なくとも１つの先行時間リソースセットで送信された第３情報を受信するように構成され、該第３情報は、該ネットワークデバイスにより該少なくとも１つの先行時間リソースセットで伝送されたダウンリンク情報に対応するアップリンク情報が、該現在時間リソースセット又は第１時間リソースで送信されることを指示する。
【０１０７】
他の１つの選択的な実施例として、該確定ユニット３１０は、さらに、該送信ユニット３２０が該確定ユニットにより確定された該現在時間リソースセット内の第１時間リソースで該ネットワークデバイスにアップリンク情報を送信する前に、予め設定された規則に従って、該現在時間リソースセット又は第１時間リソースが該ネットワークデバイスにより該少なくとも１つの先行時間リソースセットで伝送されたダウンリンク情報に対応するアップリンク情報の伝送に用いられることを確定するように構成される。
【０１０８】
１つの選択的な実施例として、該第３情報は該現在時間リソースセットのセット番号情報を含む。
【０１０９】
１つの選択的な実施例として、該第２情報は、該少なくとも１つの先行時間リソースセットの各先行時間リソースセットのセット番号情報を含む。
【０１１０】
他の１つの選択的な実施例として、該第２情報はさらに該少なくとも１つの先行時間リソースセットのうちの少なくとも１つのターゲット時間リソース単位の時間リソース番号情報を含み、ここで、該第１時間リソースは、該ネットワークデバイスにより該少なくとも１つのターゲット時間リソース単位で伝送されたダウンリンク情報に対応するアップリンク情報の伝送に用いられる。
【０１１１】
他の１つの選択的な実施例として、該確定ユニット３１０は、さらに、該送信ユニット３２０が該現在時間リソースセット内の第１時間リソースで該ネットワークデバイスにアップリンク情報を送信する前に、予め設定された規則に従って、該現在時間リソースセット内の該第１時間リソースを確定するように構成される。
【０１１２】
他の１つの選択的な実施例として、該装置３００は、さらに、第３受信ユニットを含み、第３受信ユニットは、該送信ユニット３２０が該現在時間リソースセット内の第１時間リソースで該ネットワークデバイスにアップリンク情報を送信する前に、該ネットワークデバイスにより該現在時間リソースセットで送信された第４情報を受信するように構成され、該第４情報は、該第１時間リソースを示すために用いられる。
【０１１３】
他の１つの選択的な実施例として、該ダウンリンク情報はＰＤＳＣＨを含み、該アップリンク情報はＡＣＫ／ＮＡＣＫを含む。この時、該送信ユニット３２０は、具体的に、該第１時間リソースのＰＵＣＣＨ又はＰＵＳＣＨで該ネットワークデバイスにＮビットのＡＣＫ／ＮＡＣＫを送信するように構成され、該ＮビットのＡＣＫ／ＮＡＣＫは、該端末装置が、該ネットワークデバイスにより該少なくとも１つの先行時間リソースセットで該端末装置に送信されたＰＤＳＣＨを成功に受信したかどうかを指示するために用いられる。
【０１１４】
理解すべきものとして、ここの装置３００は、機能ユニットによって体現される。ここの単語「ユニット」は、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、１つの以上のソフトウェア又はファームウェアプログラムを実行するためのプロセッサ（例えば共有プロセッサ、専用プロセッサ又はグループプロセッサ等）及びメモリー、マージ論理回路及び／又は他の上記機能をサポートする適当な部品であっても良い。１つの選択可能な例において、当業者は、装置３００が上記の実施例の端末装置であり、装置３００は上記の方法実施例における端末装置に対応する各フローチャート及び／又はステップを実行することが理解され、重複を回避するために、ここで省略する。
【０１１５】
図７は本発明の実施例におけるアンライセンス搬送波でアップリンク情報を伝送するための装置４００を示し、該装置４００は、確定ユニット４１０及び受信ユニット４２０を含む。
【０１１６】
確定ユニット４１０は、該アンライセンス搬送波でデータ伝送を行うための現在時間リソースセットを確定するように構成され、ここで、該ネットワークデバイスは、競争して得られた時間リソースセットを使用して該アンライセンス搬送波でデータ伝送を行い、競争して得られた各時間リソースセットに含まれる時間リソースが連続に分布され、しかも異なる時間リソースセット内の時間リソースが間隔をあけて分布され、
受信ユニット４２０は、該確定ユニット４１０により確定された該現在時間リソースセット内の第１時間リソースで送信されたアップリンク情報を受信するように構成され、該アップリンク情報は、該ネットワークデバイスにより少なくとも１つの先行時間リソースセットで伝送されたダウンリンク情報に対応する。
【０１１７】
具体的に、該ネットワークデバイスにより競争して得られた時間リソースセットは、該現在時間リソースセットと該少なくとも１つの先行時間リソースセットを含み、しかも該少なくとも１つの先行時間リソースセット内の任意の時間リソースが該現在時間リソースセット内の任意の時間リソースの前に位置する。
【０１１８】
１つの選択的な実施例として、該ダウンリンク情報はＤＣＩを含み、該アップリンク情報はＰＵＳＣＨを含む。
【０１１９】
他の１つの選択的な実施例として、該ダウンリンク情報はＰＤＳＣＨを含み、該アップリンク情報はＡＣＫ／ＮＡＣＫを含む。
【０１２０】
他の１つの選択的な実施例として、該装置４００は、さらに、第１送信ユニットを含む。
【０１２１】
第１送信ユニットは、該受信ユニット４２０が端末装置により該現在時間リソースセット内の第１時間リソースで送信されたアップリンク情報を受信する前に、第１情報を送信するように構成され、該第１情報は、該現在時間リソースセットのセット番号を示すために用いられる。
【０１２２】
１つの選択的な実施例として、該第１情報は、該現在時間リソースセットの先頭の時間リソースが所在するシステムフレーム番号情報を含み、又は、該第１情報は、該現在時間リソースセットのセット番号情報を含む。
【０１２３】
他の１つの選択的な実施例として、該装置４００は、さらに、第２送信ユニットを含み、第２送信ユニットは、該受信ユニット４２０が端末装置により該現在時間リソースセット内の第１時間リソースで送信されたアップリンク情報を受信する前に、該現在時間リソースセットで第２情報を送信するように構成され、該第２情報は、該第１時間リソース又は現在時間リソースセットが、該ネットワークデバイスにより該少なくとも１つの先行時間リソースセットで伝送されたダウンリンク情報に対応するアップリンク情報の伝送に用いられることを指示する。
【０１２４】
他の１つの選択的な実施例として、該装置４００は、さらに、第２送信ユニットを含み、第２送信ユニットは、該受信ユニット４２０が端末装置により該現在時間リソースセット内の第１時間リソースで送信されたアップリンク情報を受信する前に、該先行時間リソースセットで第３情報を送信するように構成され、該第３情報は、該ネットワークデバイスにより該少なくとも１つの先行時間リソースセットで伝送されたダウンリンク情報に対応するアップリンク情報が、該現在時間リソースセット又は第１時間リソースで送信されることを指示する。
【０１２５】
他の１つの選択的な実施例として、該確定ユニット４１０は、さらに、予め設定された規則に従って、該現在時間リソースセット又は第１時間リソースが該少なくとも１つの先行時間リソースセットで伝送されたダウンリンク情報に対応するアップリンク情報の伝送に用いられるこを確定するように構成される。
【０１２６】
１つの選択的な実施例として、該第３情報は該現在時間リソースセットのセット番号情報を含む。
【０１２７】
１つの選択的な実施例として、該第２情報は、該少なくとも１つの先行時間リソースセットのうちの各先行時間リソースセットのセット番号情報を含む。
【０１２８】
他の１つの選択的な実施例として、該第２情報はさらに該少なくとも１つの先行時間リソースセットのうちの少なくとも１つのターゲット時間リソース単位の時間リソース番号情報を含み、ここで、該第１時間リソースは、該ネットワークデバイスにより該少なくとも１つのターゲット時間リソース単位で伝送されたダウンリンク情報に対応するアップリンク情報の伝送に用いられる。
【０１２９】
他の１つの選択的な実施例として、該装置４００は、さらに、第３送信ユニットを含み、第３送信ユニットは、該受信ユニット４２０が端末装置により該現在時間リソースセット内の第１時間リソースで送信されたアップリンク情報を受信する前に、該現在時間リソースセットで第４情報を送信するように構成され、該第４情報は、該第１時間リソースを示すために用いられる。
【０１３０】
他の１つの選択的な実施例として、該ダウンリンク情報はＰＤＳＣＨを含み、該アップリンク情報はＡＣＫ／ＮＡＣＫを含む。この時、該受信ユニット４２０は、具体的に、端末装置が該第１時間リソースでＰＵＣＣＨ又はＰＵＳＣＨによって伝送されたＮビットのＡＣＫ／ＮＡＣＫを受信するように構成され、該ＮビットのＡＣＫ／ＮＡＣＫは、該端末装置が該ネットワークデバイスにより該少なくとも１つの先行時間リソースセットで該端末装置に送信されたＰＤＳＣＨを成功に受信したかどうかを指示するために用いられる。
【０１３１】
理解すべきものとして、ここの装置４００は、機能ユニットによって体現される。ここの単語「ユニット」は、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、１つの以上のソフトウェア又はファームウェアプログラムを実行するためのプロセッサ（例えば共有プロセッサ、専用プロセッサ又はグループプロセッサ等）及びメモリー、マージ論理回路及び／又は他の上記機能をサポートする適当な部品であっても良い。１つの選択可能な例において、当業者は、装置３００が上記の実施例の端末装置であり、装置４００は上記の方法実施例における端末装置に対応する各フローチャート及び／又はステップを実行することが理解され、重複を回避するために、ここで省略する。
【０１３２】
図８は本発明の実施例におけるアンライセンス搬送波でアップリンク情報を伝送するための装置５００を示し、該装置５００は、プロセッサ５１０及び送受信機５２０を含む。
【０１３３】
プロセッサ５１０は、ネットワークデバイスが該アンライセンス搬送波でデータ伝送を行うための現在時間リソースセットを確定するように構成され、ここで、該ネットワークデバイスは競争して得られた時間リソースセットを使用して該アンライセンス搬送波でデータ伝送を行い、競争して得られた各時間リソースセットに含まれる時間リソースが連続に分布され、しかも異なる時間リソースセット内の時間リソースが間隔をあけて分布される。
【０１３４】
送受信機５２０は、該プロセッサ５１０により確定された該現在時間リソースセット内の第１時間リソースで該ネットワークデバイスにアップリンク情報を送信するように構成され、該アップリンク情報は、該ネットワークデバイスにより少なくとも１つの先行時間リソースセットで伝送されたダウンリンク情報に対応する。
【０１３５】
具体的に、該ネットワークデバイスにより競争して得られた時間リソースセットは、該現在時間リソースセットと該少なくとも１つの先行時間リソースセットを含み、該少なくとも１つの先行時間リソースセット内の任意の時間リソースが該現在時間リソースセットの任意の時間リソースの前に位置する。
【０１３６】
理解すべきものとして、装置５００は上記の実施例における端末装置であって、上記の方法実施例における端末装置に対応する各ステップ及び／又はフローチャートを実行する。選択可能なものとして、装置５００はさらにメモリーを含み、該メモリーは読み取り専用メモリー及びランダムアクセスメモリーを含み、プロセッサに命令及びデータを提供する。メモリーの一部として、不揮発性ランダムアクセスメモリーを含む。例えば、メモリーは、デバイスタイプの情報をさらに記憶する。プロセッサは、メモリーに記憶される命令を実行し、該プロセッサがメモリーに記憶された命令を実行する場合、該プロセッサは、上記の方法実施例における各ステップ及び／又はフローチャートを実行する。選択可能なものとして、該装置５００はさらにバスを含み、該プロセッサ、送受信機及びメモリーはバスを介して接続する。
【０１３７】
図９は本発明の実施例におけるアンライセンス搬送波でアップリンク情報を伝送するための装置６００を示し、該装置６００は、プロセッサ６１０及び送受信機６２０を含む。
【０１３８】
プロセッサ６１０は、該アンライセンス搬送波でデータ伝送を行うための現在時間リソースセットを確定するように構成され、ここで、該ネットワークデバイスは、競争して得られた時間リソースセットを使用して該アンライセンス搬送波でデータ伝送を行い、競争して得られた各時間リソースセットに含まれる時間リソースが連続に分布され、しかも異なる時間リソースセット内の時間リソースが間隔をあけて分布され、
送受信機６２０は、端末装置が該プロセッサ６１０により確定された該現在時間リソースセット内の第１時間リソースで送信されたアップリンク情報を受信するように構成され、該アップリンク情報は、該ネットワークデバイスにより少なくとも１つの先行時間リソースセットで伝送されたダウンリンク情報に対応する。
【０１３９】
具体的に、該ネットワークデバイスにより競争して得られた時間リソースセットは、現在時間リソースセットと該少なくとも１つの先行時間リソースセットを含み、しかも該少なくとも１つの先行時間リソースセット内の任意の時間リソースが該現在時間リソースセット内の任意の時間リソースの前に位置する。
【０１４０】
理解すべきものとして、装置６００は上記の実施例における端末装置であって、上記の方法実施例における端末装置に対応する各ステップ及び／又はフローチャートを実行する。選択可能なものとして、装置６００はさらにメモリーを含み、該メモリーは読み取り専用メモリー及びランダムアクセスメモリーを含み、プロセッサに命令及びデータを提供する。メモリーの一部は不揮発性ランダムアクセスメモリーを含む。例えば、メモリーは、デバイスタイプの情報をさらに記憶する。プロセッサは、メモリーに記憶される命令を実行し、該プロセッサがメモリーに記憶された命令を実行する場合、該プロセッサは、上記の方法実施例における各ステップ及び／又はフローチャートを実行する。選択可能なものとして、該装置６００はさらにバスを含み、該プロセッサ、送受信機及びメモリーはバスを介して接続する。
【０１４１】
理解すべきものとして、本発明の実施例において、該プロセッサは、中央処理ユニット（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェア部材であってもよい。汎用プロセッサはマイクロプロセッサであってもよい又は該プロセッサはいずれかの従来のプロセッサなどであってもよい。
【０１４２】
実現の過程において、上記の方法のステップは、プロセッサにおけるハードウェアの集積ロジック回路又はソフトウェアモジュール形態の命令よって実現することができる。本発明の実施例に開示された方法のステップはハードウェアプロセッサによって実行されて完了され、又は復号プロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完了する。重複を回避するために、ここで省略する。
【０１４３】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。ハードウェアとソフトウェアとの互換性を明確に説明するために、以上、機能に従って各実施例のステップ及び構成を説明する。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【０１４４】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１４５】
本出願が提供するいくつかの実施例では、開示されたシステム、装置および方法は他の方式により実現されてもよいと理解すべきである。上述した装置の実施例は例示的なものだけであり、例えば、前記ユニットの区分はロジック機能的区分だけであり、実際に実施する時に他の区分方式もあり得て、例えば複数のユニットまたは部材は組み合わせられてもよいまたは別のシステムに統合されてもよく、又はいくつかの特徴は無視されてもよく、又は実行されなくてもよい。また、示されるまたは議論される相互結合又は直接結合又は通信接続はいくつかのインターフェース、装置又はユニットを介する間接的結合又は通信接続であってもよく、電気的、機械的又は他の形態であってもよい。
【０１４６】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、すなわち一つの箇所に位置してもよく、又は複数のネットワークユニットに分布してもよい。実際のニーズに応じてその中の一部または全てのユニットを選択して本実施例の解決策の目的を達成することができる。
【０１４７】
また、本発明の各実施例における各機能ユニットは一つの処理ユニットに統合されてもよく、個々のユニットは単独で物理的に存在してもよく、二つまたは二つ以上のユニットは一つのユニットに統合されてもよい。
【０１４８】
前記ユニットはソフトウェア機能ユニットの形態で実現され且つ独立した製品として販売または使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶する。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１４９】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【手続補正２】
【補正対象書類名】特許請求の範囲
【補正対象項目名】全文
【補正方法】変更
【補正の内容】
【特許請求の範囲】
【請求項１】
アンライセンス搬送波におけるアップリンク情報伝送のための方法であって、
端末装置は、ネットワークデバイスが前記アンライセンス搬送波でデータ伝送を行うための現在時間リソースセットを確定することと、
前記端末装置は、前記アンライセンス搬送波の前記現在時間リソースセット内の第１時間リソースで前記ネットワークデバイスにアップリンク情報を送信することと、を含み、
前記ネットワークデバイスは、競争して得られた時間リソースセットを使用して前記アンライセンス搬送波でデータ伝送を行い、競争して得られた各時間リソースセットに含まれる時間リソースが連続に分布され、しかも異なる時間リソースセット内の時間リソースが間隔をあけて分布され、
前記アップリンク情報は、前記ネットワークデバイスにより前記現在時間リソースセットの少なくとも１つの先行時間リソースセットで伝送されたダウンリンク情報に対応する、前記アンライセンス搬送波でアップリンク情報を伝送するための方法。
【請求項２】
前記ダウンリンク情報はダウンリンク制御情報（ＤＣＩ）を含み、前記アップリンク情報は物理アップリンク共有チャネル（ＰＵＳＣＨ）を含み、
及び／又は、
前記ダウンリンク情報は物理ダウンリンク共有チャネル（ＰＤＳＣＨ）を含み、前記アップリンク情報は確認ＡＣＫ／否定ＮＡＣＫを含む
請求項１に記載のアンライセンス搬送波でアップリンク情報を伝送するための方法。
【請求項３】
前記端末装置は、前記ネットワークデバイスが前記アンライセンス搬送波でデータ伝送を行うための現在時間リソースセットを確定することは、
前記端末装置は、前記ネットワークデバイスにより送信された第１情報を受信することと、
前記端末装置は、前記第１情報に従って、前記ネットワークデバイスにより競争して得られた現在時間リソースセットのセット番号を確定することとを含み、
前記第１情報は、前記現在時間リソースセット内の先頭の時間リソースが所在するシステムフレームの番号（ＳＦＮ）情報を含み、又は、
前記第１情報は、前記現在時間リソースセットのセット番号情報を含む、
請求項１又は２に記載のアンライセンス搬送波でアップリンク情報を伝送するための方法。
【請求項４】
前記端末装置は、前記アンライセンス搬送波の前記現在時間リソースセット内の第１時間リソースで前記ネットワークデバイスにアップリンク情報を送信する前に、前記方法は、さらに、
前記端末装置は、前記ネットワークデバイスにより前記現在時間リソースセットで送信された第２情報を受信すること、又は、
前記端末装置は、前記ネットワークデバイスにより前記少なくとも１つの先行時間リソースセットで送信された第３情報を受信すること、又は、
前記端末装置は、予め設定された規則に従って、前記現在時間リソースセットが前記ネットワークデバイスにより前記少なくとも１つの先行時間リソースセットで伝送されたダウンリンク情報に対応するアップリンク情報の伝送に用いられることを確定すること、を含み、
前記第２情報は、前記第１時間リソースが、前記ネットワークデバイスにより前記少なくとも１つの先行時間リソースセットで伝送されたダウンリンク情報に対応するアップリンク情報の伝送に用いられることを指示し、
前記第３情報は、前記ネットワークデバイスにより前記少なくとも１つの先行時間リソースセットで伝送されたダウンリンク情報に対応するアップリンク情報が、前記現在時間リソースセットで伝送されることを指示する
請求項１〜３のいずれか１項に記載のアンライセンス搬送波でアップリンク情報を伝送するための方法。
【請求項５】
前記第３情報は、前記現在時間リソースセットのセット番号情報を含み、
又は、
前記第２情報は、前記少なくとも１つの先行時間リソースセットの各先行時間リソースセットのセット番号情報を含む、
請求項４に記載のアンライセンス搬送波でアップリンク情報を伝送するための方法。
【請求項６】
前記第２情報は、さらに、前記少なくとも１つの先行時間リソースセットの少なくとも１つのターゲット時間リソース単位の時間リソース番号情報を含み、ここで、前記第１時間リソースは、前記ネットワークデバイスにより前記少なくとも１つのターゲット時間リソース単位で伝送されたダウンリンク情報に対応するアップリンク情報の伝送に用いられる
請求項５に記載のアンライセンス搬送波でアップリンク情報を伝送するための方法。
【請求項７】
前記端末装置は、前記アンライセンス搬送波の前記現在時間リソースセット内の第１時間リソースで前記ネットワークデバイスにアップリンク情報を送信する前に、前記方法は、さらに、
前記端末装置は、予め設定された規則に従って、前記現在時間リソースセット内の前記第１時間リソースを確定すること、又は、
前記端末装置は、前記ネットワークデバイスにより前記現在時間リソースセットで送信された第４情報を受信することを含み、
前記第４情報は、前記第１時間リソースを示すために用いられる
請求項１〜６のいずれか１項に記載のアンライセンス搬送波でアップリンク情報を伝送するための方法。
【請求項８】
前記ダウンリンク情報はＰＤＳＣＨを含み、前記アップリンク情報はＡＣＫ／ＮＡＣＫを含み、
前記端末装置はアンライセンス搬送波の前記現在時間リソースセット内の第１時間リソースで前記ネットワークデバイスにアップリンク情報を送信することは、
前記端末装置は前記第１時間リソースの物理アップリンク制御チャネル（ＰＵＣＣＨ）又はＰＵＳＣＨで前記ネットワークデバイスにＮビットのＡＣＫ／ＮＡＣＫを送信することを含み、
前記ＮビットのＡＣＫ／ＮＡＣＫは、前記端末装置が前記ネットワークデバイスにより前記少なくとも１つの先行時間リソースセットで前記端末装置に送信されたＰＤＳＣＨを成功に受信したかどうかを指示するために用いられる
請求項１〜７のいずれか１項に記載のアンライセンス搬送波でアップリンク情報を伝送するための方法。
【請求項９】
前記端末装置は前記第１時間リソースの物理アップリンク制御チャネル（ＰＵＣＣＨ）又はＰＵＳＣＨで前記ネットワークデバイスにＮビットのＡＣＫ／ＮＡＣＫを送信することは、
前記端末装置は、前記第１時間リソースでＰＵＣＣＨフォーマット３、ＰＵＣＣＨフォーマット４、又はＰＵＣＣＨフォーマット５を使用して前記ネットワークデバイスに前記ＮビットのＡＣＫ／ＮＡＣＫを送信することを含む
請求項８に記載のアンライセンス搬送波でアップリンク情報を伝送するための方法。
【請求項１０】
Ｎは以下の式で確定され、
2019510385.tif 000055
ここで、Ｋは前記少なくとも１つの先行時間リソースセットの数を示し、Ｃは各ＰＤＳＣＨに対応するＡＣＫ／ＮＡＣＫの最大ビット数を示し、
2019510385.tif 000056
は、前記少なくとも１つの先行時間リソースセット内のｉ番目の先行時間リソースセットに含まれる時間リソース単位の数に等しく、又は、ｉ番目の先行時間リソースセットに含まれるダウンリンク時間リソース単位の数に等しく、又は、前記ネットワークデバイスによりｉ番目の先行時間リソースセットに配置されたパラメータ値に等しく、前記パラメータ値は前記ｉ番目の先行時間リソースセットに含まれる時間リソース単位の数の以下である
請求項８又は９に記載のアンライセンス搬送波でアップリンク情報を伝送するための方法。
【請求項１１】
Ｎは以下の式で確定され、
2019510385.tif 000057
ここで、Ｋは前記少なくとも１つの先行時間リソースセットの数を示し、
2019510385.tif 000058
は前記ネットワークデバイスにより前記少なくとも１つの先行時間リソースセット内のｉ番目の先行時間リソースセットに配置されたパラメータ値に等しく、前記パラメータ値は０以上の整数である
請求項８又は９に記載のアンライセンス搬送波でアップリンク情報を伝送するための方法。
【請求項１２】
アンライセンス搬送波でアップリンク情報を伝送するための方法であって、
ネットワークデバイスは、前記アンライセンス搬送波でデータ伝送を行うための現在時間リソースセットを確定することと、
前記ネットワークデバイスは、端末装置により前記アンライセンス搬送波の前記現在時間リソースセット内の第１時間リソースで送信されたアップリンク情報を受信することとを含み、
ここで、前記ネットワークデバイスは、競争して得られた時間リソースセットを使用して前記アンライセンス搬送波でデータ伝送を行い、前記競争して得られた各時間リソースセットに含まれる時間リソースが連続に分布され、しかも異なる時間リソースセット内の時間リソースが間隔をあけて分布され、
前記アップリンク情報は、前記ネットワークデバイスにより前記現在時間リソースセットの少なくとも１つの先行時間リソースセットで伝送されたダウンリンク情報に対応する、前記アンライセンス搬送波でアップリンク情報を伝送するための方法。
【請求項１３】
前記ネットワークデバイスは端末装置により前記アンライセンス搬送波の前記現在時間リソースセット内の第１時間リソースで送信されたアップリンク情報を受信する前に、前記方法は、さらに、
前記ネットワークデバイスは第１情報を送信することを含み、前記第１情報は、前記現在時間リソースセットのセット番号を示すために用いられる
請求項１２に記載のアンライセンス搬送波でアップリンク情報を伝送するための方法。
【請求項１４】
アンライセンス搬送波でアップリンク情報を伝送するための装置であって、
ネットワークデバイスが前記アンライセンス搬送波でデータ伝送を行うための現在時間リソースセットを確定するように構成される確定ユニットと、
前記確定ユニットにより確定された前記現在時間リソースセット内の第１時間リソースで前記ネットワークデバイスにアップリンク情報を送信するように構成される送信ユニットと、を含み、
前記ネットワークデバイスは、競争して得られた時間リソースセットを使用して前記アンライセンス搬送波でデータ伝送を行い、競争して得られた各時間リソースセットに含まれる時間リソースが連続に分布され、異なる時間リソースセット内の時間リソースが間隔をあけて分布され、前記ネットワークデバイスにより競争して得られた時間リソースセットは、前記現在時間リソースセットを含み、
前記アップリンク情報は、前記ネットワークデバイスにより前記現在時間リソースセットの少なくとも１つの先行時間リソースセットで伝送されたダウンリンク情報に対応する、前記アンライセンス搬送波でアップリンク情報を伝送するための装置。
【請求項１５】
アンライセンス搬送波でアップリンク情報を伝送するための装置であって、
前記アンライセンス搬送波でデータ伝送を行うための現在時間リソースセットを確定するように構成される確定ユニットと、
端末装置により前記確定ユニットの確定された前記現在時間リソースセット内の第１時間リソースで送信されたアップリンク情報を受信するように構成される受信ユニットと、を含み
ネットワークデバイスは、競争して得られた時間リソースセットを使用して前記アンライセンス搬送波でデータ伝送を行い、競争して得られた各時間リソースセットに含まれる時間リソースが連続に分布され、異なる時間リソースセット内の時間リソースが間隔をあけて分布され、前記ネットワークデバイスにより競争して得られた時間リソースセットは、前記現在時間リソースセットを含み、
前記アップリンク情報は、前記ネットワークデバイスにより前記現在時間リソースセットの少なくとも１つの先行時間リソースセットで伝送されたダウンリンク情報に対応する、前記アンライセンス搬送波でアップリンク情報を伝送するための装置。
【国際調査報告】
2019510385.tif 000059
2019510385.tif 000060
2019510385.tif 000061
2019510385.tif 000062